(57)【要約】【課題】被写体のプライバシーを維持しつつ、画像利用者の利便性を向上させた画像しゅうやく収集システムが求められていた。【解決手段】複数の画像取得装置でそれぞれ取得される各画像の取得位置を示す取得位置情報と取得日時を示す取得日時情報を受信する手段と、位置範囲と時間帯を指定する範囲指定情報を受信する手段と、取得位置情報と取得日時情報が記憶されている画像の中から範囲指定情報で指定される位置範囲かつ時間帯で取得された画像を抽出する手段と、抽出された画像に関する情報である抽出画像関連情報を送信する手段と、収集対象となる画像を指定する収集対象画像指定情報を受信する手段と、収集対象画像指定情報で指定された収集対象となる画像の送信を要求する収集対象画像送信要求情報を送信する手段と、収集対象画像送信要求情報に基づいて送信される画像を受信する手段を具備する。【選択図】図１
2016144010.tif 000002
【特許請求の範囲】
【請求項１】
所有者が異なる複数の画像取得装置と、前記画像取得装置で取得される画像の中から所定の条件を満たす画像を収集する画像収集システムとを含む画像集約システムであって、
前記画像取得装置は、
画像を取得する画像取得手段と、
前記画像の取得位置を示す取得位置情報を取得する画像取得位置情報取得手段と、
前記画像の取得日時を示す取得日時情報を取得する画像取得日時情報取得手段と、
前記取得された画像を前記画像取得位置情報と画像取得日時情報と関連付けた状態で記憶媒体に記憶する画像記憶手段と、
前記取得された画像の取得位置情報と取得日時情報を取得画像関連情報として前記画像収集システムへ送信する取得画像関連情報送信手段と、
収集対象となる画像の送信を要求する収集対象画像送信要求情報を受信する収集対象画像送信要求情報受信手段と、
前記収集対象画像送信要求情報に基づいて、前記記憶媒体に記憶されている画像の中から送信が要求されている画像を抽出する画像抽出手段と、
前記抽出された画像を送信する画像送信手段と、
を具備し、
前記画像収集システムは、
前記複数の画像取得装置でそれぞれ取得される各画像の取得位置を示す取得位置情報と取得日時を示す取得日時情報を取得画像関連情報として受信する取得画像関連情報受信手段と、
前記取得画像関連情報として受信された前記取得位置情報と前記取得日時情報を関連付けた状態で記憶する取得画像関連情報記憶手段と、
位置範囲と時間帯を指定する範囲指定情報を受信する範囲指定情報受信手段と、
前記受信された範囲指定情報に基づいて、前記取得画像関連情報記憶手段によって前記取得位置情報と前記取得日時情報が記憶されている画像の中から前記範囲指定情報で指定される位置範囲かつ時間帯で取得された画像を抽出する画像抽出手段と、
前記抽出された画像に関する情報である抽出画像関連情報を送信する抽出画像関連情報送信手段と、
収集対象となる画像を指定する収集対象画像指定情報を受信する収集対象画像指定情報受信手段と、
前記受信された収集対象画像指定情報で指定された前記収集対象となる画像の送信を要求する収集対象画像送信要求情報を送信する収集対象画像送信要求情報送信手段と、
前記送信された収集対象画像送信要求情報に基づいて送信される画像を受信する収集対象画像受信手段と、
前記受信した画像を記憶する収集対象画像記憶手段と、
を具備する画像集約システム。
【請求項２】
前記画像取得装置は、
前記記憶されている画像の中から所定の画像を消去する画像消去手段と、
前記消去された画像示す消去画像識別情報を送信する消去画像識別情報送信手段と、
を更に具備し、
前記画像収集システムは、
前記画像取得装置において消去された画像を示す消去画像関連情報を受信する消去画像関連情報受信手段と、
前記記憶されている取得画像関連情報の中から前記消去画像関連情報で示される画像の取得画像関連情報を消去する取得画像関連情報消去手段と、
を更に具備する請求項１に記載の画像集約システム。
【請求項３】
前記画像収集システムは、
ユーザまたは前記画像取得装置が設置されている住所、郵便番号、位置情報のいずれかの情報を登録するユーザ情報登録手段と、
所定の住所、郵便番号、位置情報のいずれかで示される位置範囲で登録されているユーザ数を検索するためのユーザ数検索情報を受信するユーザ数検索情報受信手段と、
前記受信されたユーザ数検索情報に含まれる住所情報、郵便番号情報、位置座標情報、エリア情報のいずれかで示される位置範囲で登録されているユーザのユーザ数を示すユーザ数情報を生成するユーザ数情報生成手段と、
前記生成されたユーザ数情報を送信するユーザ数情報送信手段と、
を更に具備する請求項１又は２に記載の画像集約システム。
【請求項４】
前記抽出画像関連情報送信手段は、前記抽出された画像が利用可能になる時期、確率、レベルのいずれかに関する情報又は前記抽出された画像が画像収集システム側に記憶されている状態であるか画像取得装置側に記憶されている状態であるかに関する情報を含む前記抽出画像関連情報を送信する、
請求項１乃至３のいずれか１項に記載の画像集約システム。
【請求項５】
前記抽出画像関連情報送信手段は、前記抽出された複数の画像について、取得したユーザまたは画像取得装置が区別可能な状態で前記抽出画像関連情報を送信する、
請求項１乃至４のいずれか１項に記載の画像集約システム。
【請求項６】
前記収集対象画像指定情報受信手段は、前記抽出された画像を取得したユーザまたは画像取得装置を示す情報を前記収集対象画像指定情報として受信する、
請求項５に記載の画像集約システム。
【請求項７】
前記画像収集システムは、
クライアント情報を登録するクライアント登録手段と、
ユーザまたは画像取得装置毎に画像提供条件として、画像提供可能なクライアントまたは画像提供可能なクライアントのグループを示す情報を登録する画像提供条件登録手段と、
を更に具備し、
前記画像抽出手段は、前記受信された範囲指定情報で指定される範囲で取得された画像であって、前記範囲指定情報の送信元クライアントを画像提供可能なクライアントとして前記画像提供条件を登録しているユーザの画像取得装置で取得された画像を抽出する、
請求項１乃至６のいずれか１項に記載の画像集約システム。
【請求項８】
前記画像取得装置は、
前記取得された画像を圧縮したサムネイル画像を生成するサムネイル画像生成手段を更に具備し、
前記取得画像関連情報送信手段は、前記生成されたサムネイル画像を前記取得画像関連情報として送信し、
前記画像収集システムにおいては、
前記取得画像関連情報受信手段は、前記複数の画像取得装置でそれぞれ取得される各画像のサムネイル画像を前記取得画像関連情報として受信し、
前記取得画像関連情報記憶手段は、前記取得画像関連情報として受信された前記サムネイル画像を取得位置情報と前記取得日時情報を関連付けた状態で記憶し、
前記抽出画像関連情報送信手段は、抽出された画像のサムネイル画像を送信する、
請求項１乃至7のいずれか１項に記載の画像集約システム。
【請求項９】
所有者が異なる複数の画像取得装置で取得される画像の中から所定の条件を満たす画像を収集する画像収集システムであって、
前記複数の画像取得装置でそれぞれ取得される各画像の取得位置を示す取得位置情報と取得日時を示す取得日時情報を取得画像関連情報として受信する取得画像関連情報受信手段と、
前記取得画像関連情報として受信された前記取得位置情報と前記取得日時情報を関連付けた状態で記憶する取得画像関連情報記憶手段と、
位置範囲と時間帯を指定する範囲指定情報を受信する範囲指定情報受信手段と、
前記受信された範囲指定情報に基づいて、前記取得画像関連情報記憶手段によって前記取得位置情報と前記取得日時情報が記憶されている画像の中から前記範囲指定情報で指定される位置範囲かつ時間帯で取得された画像を抽出する画像抽出手段と、
前記抽出された画像に関する情報である抽出画像関連情報を送信する抽出画像関連情報送信手段と、
収集対象となる画像を指定する収集対象画像指定情報を受信する収集対象画像指定情報受信手段と、
前記受信された収集対象画像指定情報で指定された前記収集対象となる画像の送信を要求する収集対象画像送信要求情報を送信する収集対象画像送信要求情報送信手段と、
前記送信された収集対象画像送信要求情報に基づいて送信される画像を受信する収集対象画像受信手段と、
前記受信した画像を記憶する収集対象画像記憶手段と、
を具備する画像収集システム。
【請求項１０】
前記画像取得装置において消去された画像を示す消去画像関連情報を受信する消去画像関連情報受信手段と、
前記記憶されている取得画像関連情報の中から前記消去画像関連情報で示される画像の取得画像関連情報を消去する取得画像関連情報消去手段と、
を更に具備する請求項９に記載の画像収集システム。
【請求項１１】
ユーザまたは前記画像取得装置が設置されている住所、郵便番号、位置情報のいずれかの情報を登録するユーザ情報登録手段と、
所定の住所、郵便番号、位置情報のいずれかで示される位置範囲で登録されているユーザ数を検索するためのユーザ数検索情報を受信するユーザ数検索情報受信手段と、
前記受信されたユーザ数検索情報に含まれる住所情報、郵便番号情報、位置座標情報、エリア情報のいずれかで示される位置範囲で登録されているユーザのユーザ数を示すユーザ数情報を生成するユーザ数情報生成手段と、
前記生成されたユーザ数情報を送信するユーザ数情報送信手段と、
を更に具備する請求項９又は１０に記載の画像収集システム。
【請求項１２】
前記抽出画像関連情報送信手段は、前記抽出された画像が利用可能になる時期、確率、レベルのいずれかに関する情報又は前記抽出された画像が画像収集システム側に記憶されている状態であるか画像取得装置側に記憶されている状態であるかに関する情報を含む前記抽出画像関連情報を送信する、
請求項９乃至１１のいずれか１項に記載の画像収集システム。
【請求項１３】
前記抽出画像関連情報送信手段は、前記抽出された複数の画像について、取得したユーザまたは画像取得装置が区別可能な状態で前記抽出画像関連情報を送信する、
請求項９乃至１２のいずれか１項に記載の画像収集システム。
【請求項１４】
前記収集対象画像指定情報受信手段は、前記抽出された画像を取得したユーザまたは画像取得装置を示す情報を前記収集対象画像指定情報として受信する、
請求項１３に記載の画像収集システム。
【請求項１５】
クライアント情報を登録するクライアント登録手段と、
ユーザまたは画像取得装置毎に画像提供条件として、画像提供可能なクライアントまたは画像提供可能なクライアントのグループを示す情報を登録する画像提供条件登録手段と、
をさらに具備し、
前記画像抽出手段は、前記受信された範囲指定情報で指定される範囲で取得された画像であって、前記範囲指定情報の送信元クライアントを画像提供可能なクライアントとして前記画像提供条件を登録しているユーザの画像取得装置で取得された画像を抽出する、
請求項９乃至１４のいずれか１項に記載の画像収集システム。
【請求項１６】
前記取得画像関連情報受信手段は、前記複数の画像取得装置でそれぞれ取得される各画像のサムネイル画像を前記取得画像関連情報として受信し、
前記取得画像関連情報記憶手段は、前記取得画像関連情報として受信された前記サムネイル画像を取得位置情報と前記取得日時情報を関連付けた状態で記憶し、
前記抽出画像関連情報送信手段は、抽出された画像のサムネイル画像を送信する、
請求項９乃至１５のいずれか１項に記載の画像収集システム。
【請求項１７】
所有者が異なる複数の画像取得装置で取得される画像の中から所定の条件を満たす画像を収集する画像収集方法であって、
前記複数の画像取得装置でそれぞれ取得される各画像の取得位置を示す取得位置情報と取得日時を示す取得日時情報を取得画像関連情報として受信する取得画像関連情報受信ステップと、
前記取得画像関連情報として受信された前記取得位置情報と前記取得日時情報を関連付けた状態で記憶する取得画像関連情報記憶ステップと、
位置範囲と時間帯を指定する範囲指定情報を受信する範囲指定情報受信ステップと、
前記受信された範囲指定情報に基づいて、前記取得画像関連情報記憶ステップで前記取得位置情報と前記取得日時情報が記憶されている画像の中から前記範囲指定情報で指定される位置範囲かつ時間帯で取得された画像を抽出する画像抽出ステップと、
前記抽出された画像に関する情報である抽出画像関連情報を送信する抽出画像関連情報送信ステップと、
収集対象となる画像を指定する収集対象画像指定情報を受信する収集対象画像指定情報受信ステップと、
前記受信された収集対象画像指定情報で指定された前記収集対象となる画像の送信を要求する収集対象画像送信要求情報を送信する収集対象画像送信要求情報送信ステップと、
前記送信された収集対象画像送信要求情報に基づいて送信される画像を受信する収集対象画像受信ステップと、
前記受信した画像を記憶する収集対象画像記憶ステップと、
を有する画像収集方法。
【請求項１８】
前記画像取得装置において消去された画像を示す消去画像関連情報を受信する消去画像関連情報受信ステップと、
前記記憶されている取得画像関連情報の中から前記消去画像関連情報で示される画像の取得画像関連情報を消去する取得画像関連情報消去ステップと、
を更に有する請求項１７に記載の画像収集方法。
【請求項１９】
ユーザまたは前記画像取得装置が設置されている住所、郵便番号、位置情報のいずれかの情報を登録するユーザ情報登録ステップと、
所定の住所、郵便番号、位置情報のいずれかで示される位置範囲で登録されているユーザ数を検索するためのユーザ数検索情報を受信するユーザ数検索情報受信ステップと、
前記受信されたユーザ数検索情報に含まれる住所情報、郵便番号情報、位置座標情報、エリア情報のいずれかで示される位置範囲で登録されているユーザのユーザ数を示すユーザ数情報を生成するユーザ数情報生成ステップと、
前記生成されたユーザ数情報を送信するユーザ数情報送信ステップと、
を更に有する請求項１７又は１８に記載の画像収集方法。
【請求項２０】
前記抽出画像関連情報送信ステップは、前記抽出された画像が利用可能になる時期、確率、レベルのいずれかに関する情報又は前記抽出された画像が画像収集システム側に記憶されている状態であるか画像取得装置側に記憶されている状態であるかに関する情報を含む前記抽出画像関連情報を送信する、
請求項１７乃至１９のいずれか１項に記載の画像収集方法。
【請求項２１】
前記抽出画像関連情報送信ステップは、前記抽出された複数の画像について、取得したユーザまたは画像取得装置が区別可能な状態で前記抽出画像関連情報を送信する、
請求項１７乃至２０のいずれか１項に記載の画像収集方法。
【請求項２２】
前記収集対象画像指定情報受信ステップは、前記抽出された画像を取得したユーザまたは画像取得装置を示す情報を前記収集対象画像指定情報として受信する、
請求項２１に記載の画像収集方法。
【請求項２３】
クライアント情報を登録するクライアント登録ステップと、
ユーザまたは画像取得装置毎に画像提供条件として、画像提供可能なクライアントまたは画像提供可能なクライアントのグループを示す情報を登録する画像提供条件登録ステップと、
を更に有し、
前記画像抽出ステップは、前記受信された範囲指定情報で指定される範囲で取得された画像であって、前記範囲指定情報の送信元クライアントを画像提供可能なクライアントとして前記画像提供条件を登録しているユーザの画像取得装置で取得された画像を抽出する、
請求項１７乃至２２のいずれか１項に記載の画像収集方法。
【請求項２４】
前記取得画像関連情報受信ステップは、前記複数の画像取得装置でそれぞれ取得される各画像のサムネイル画像を前記取得画像関連情報として受信し、
前記取得画像関連情報記憶ステップは、前記取得画像関連情報として受信された前記サムネイル画像を取得位置情報と前記取得日時情報を関連付けた状態で記憶し、
前記抽出画像関連情報送信ステップは、抽出された画像のサムネイル画像を送信する、
請求項１７乃至２３のいずれか１項に記載の画像収集方法。
【発明の詳細な説明】
【技術分野】
【０００１】
本発明は、分散された複数の装置に記憶されている複数の画像の中から所定の条件を満たす画像を収集する画像収集システム及び画像収集方法に関する。また、本発明は、分散された状態で複数の画像を保持しておき、クライアントからの要求に基づいて所定の条件を満たす画像をネットワーク側に集約する画像集約システム及び画像集約方法に関する。
【背景技術】
【０００２】
近年、通信速度やデータ記憶容量の向上により画像を有効活用することが検討されている。例えば、特許文献１には被写体のプライバシーを維持しつつ一般市民によって取得された画像を犯罪捜査等に活用する技術が開示されている。
【先行技術文献】
【特許文献】
【０００３】
【特許文献１】再表２０１２−０１４４７３号公報
【発明の開示】
【発明が解決しようとする課題】
【０００４】
特許文献１に開示の技術では、依頼する範囲で取得された画像が分散されている画像記録装置の中にどの程度記憶されているかどうかが実際に依頼をかけて画像を収集するまで判明しない。したがって依頼をかけたものの依頼者が想定していた量の画像が回収できないといったミスマッチ問題が発生する可能性がある。
【０００５】
上記課題を鑑み、本発明は被写体のプライバシーを維持しつつ、画像利用者の利便性を向上させた画像集約システム、画像収集システム、及び画像収集方法を提供することを目的とする。
【課題を解決するための手段】
【０００６】
本発明の一態様である画像集約システムは、所有者が異なる複数の画像取得装置と、前記画像取得装置で取得される画像の中から所定の条件を満たす画像を収集する画像収集システムとを含む画像集約システムであって、前記画像取得装置は、画像を取得する画像取得手段と、前記画像の取得位置を示す取得位置情報を取得する画像取得位置情報取得手段と、前記画像の取得日時を示す取得日時情報を取得する画像取得日時情報取得手段と、前記取得された画像を前記画像取得位置情報と画像取得日時情報と関連付けた状態で記憶媒体に記憶する画像記憶手段と、
前記取得された画像の取得位置情報と取得日時情報を取得画像関連情報として前記画像収集システムへ送信する取得画像関連情報送信手段と、収集対象となる画像の送信を要求する収集対象画像送信要求情報を受信する収集対象画像送信要求情報受信手段と、前記収集対象画像送信要求情報に基づいて、前記記憶媒体に記憶されている画像の中から送信が要求されている画像を抽出する画像抽出手段と、前記抽出された画像を送信する画像送信手段と、を具備し、前記画像収集システムは、前記複数の画像取得装置でそれぞれ取得される各画像の取得位置を示す取得位置情報と取得日時を示す取得日時情報を取得画像関連情報として受信する取得画像関連情報受信手段と、前記取得画像関連情報として受信された前記取得位置情報と前記取得日時情報を関連付けた状態で記憶する取得画像関連情報記憶手段と、位置範囲と時間帯を指定する範囲指定情報を受信する範囲指定情報受信手段と、前記受信された範囲指定情報に基づいて、前記取得画像関連情報記憶手段によって前記取得位置情報と前記取得日時情報が記憶されている画像の中から前記範囲指定情報で指定される位置範囲かつ時間帯で取得された画像を抽出する画像抽出手段と、前記抽出された画像に関する情報である抽出画像関連情報を送信する抽出画像関連情報送信手段と、収集対象となる画像を指定する収集対象画像指定情報を受信する収集対象画像指定情報受信手段と、前記受信された収集対象画像指定情報で指定された前記収集対象となる画像の送信を要求する収集対象画像送信要求情報を送信する収集対象画像送信要求情報送信手段と、前記送信された収集対象画像送信要求情報に基づいて送信される画像を受信する収集対象画像受信手段と、前記受信した画像を記憶する収集対象画像記憶手段と、を具備する。
【０００７】
また、本発明の一態様である画像収集システムは、所有者が異なる複数の画像取得装置で取得される画像の中から所定の条件を満たす画像を収集するシステムであって、前記複数の画像取得装置でそれぞれ取得される各画像の取得位置を示す取得位置情報と取得日時を示す取得日時情報を取得画像関連情報として受信する取得画像関連情報受信手段と、前記取得画像関連情報として受信された前記取得位置情報と前記取得日時情報を関連付けた状態で記憶する取得画像関連情報記憶手段と、位置範囲と時間帯を指定する範囲指定情報を受信する範囲指定情報受信手段と、前記受信された範囲指定情報に基づいて、前記取得画像関連情報記憶手段によって前記取得位置情報と前記取得日時情報が記憶されている画像の中から前記範囲指定情報で指定される位置範囲かつ時間帯で取得された画像を抽出する画像抽出手段と、前記抽出された画像に関する情報である抽出画像関連情報を送信する抽出画像関連情報送信手段と、収集対象となる画像を指定する収集対象画像指定情報を受信する収集対象画像指定情報受信手段と、前記受信された収集対象画像指定情報で指定された前記収集対象となる画像の送信を要求する収集対象画像送信要求情報を送信する収集対象画像送信要求情報送信手段と、前記送信された収集対象画像送信要求情報に基づいて送信される画像を受信する収集対象画像受信手段と、前記受信した画像を記憶する収集対象画像記憶手段と、を具備する。
【０００８】
また、本発明の一態様である画像収集方法は、所有者が異なる複数の画像取得装置で取得される画像の中から所定の条件を満たす画像を収集する方法であって、前記複数の画像取得装置でそれぞれ取得される各画像の取得位置を示す取得位置情報と取得日時を示す取得日時情報を取得画像関連情報として受信する取得画像関連情報受信ステップと、前記取得画像関連情報として受信された前記取得位置情報と前記取得日時情報を関連付けた状態で記憶する取得画像関連情報記憶ステップと、位置範囲と時間帯を指定する範囲指定情報を受信する範囲指定情報受信ステップと、前記受信された範囲指定情報に基づいて、前記取得画像関連情報記憶ステップで前記取得位置情報と前記取得日時情報が記憶されている画像の中から前記範囲指定情報で指定される位置範囲かつ時間帯で取得された画像を抽出する画像抽出ステップと、前記抽出された画像に関する情報である抽出画像関連情報を送信する抽出画像関連情報送信ステップと、収集対象となる画像を指定する収集対象画像指定情報を受信する収集対象画像指定情報受信ステップと、前記受信された収集対象画像指定情報で指定された前記収集対象となる画像の送信を要求する収集対象画像送信要求情報を送信する収集対象画像送信要求情報送信ステップと、前記送信された収集対象画像送信要求情報に基づいて送信される画像を受信する収集対象画像受信ステップと、前記受信した画像を記憶する収集対象画像記憶ステップと、を有する。
【発明の効果】
【０００９】
本発明によれば、被写体のプライバシーを維持しつつ、画像利用者の利便性を向上させた画像集約システム、画像収集システム、及び画像収集方法を提供することができる。
【図面の簡単な説明】
【００１０】
【図１】実施形態１に係る画像集約システムの構成を示すブロック図
【図２】実施形態１に係る画像集約システムの処理の流れを示すシーケンス図
【図３】実施形態２に係る画像集約システムの構成を示すブロック図
【図４】ユーザ登録部が登録するユーザ情報の一例を示す図
【図５】取得画像関連情報記憶部が記憶する取得画像関連情報の一例を示す図
【図６】範囲指定情報の一例を示す図
【図７】抽出画像関連情報の一例を示す図
【図８】収集対象画像指定情報の一例を示す図
【図９】収集済み画像管理情報の一例を示す図
【図１０】実施形態３に係る画像集約システムの構成を示すブロック図
【図１１】取得画像関連情報記憶部が記憶する取得画像関連情報の一例を示す図
【図１２】画像取得処理の流れを示すフローチャート図
【図１３】実施形態４に係る画像集約システムの構成を示すブロック図
【図１４】ユーザ登録部が登録するユーザ情報の一例を示す図
【図１５】抽出される画像の利用可能レベルを示す対応表
【図１６】抽出画像関連情報の一例を示す図
【図１７】実施形態５に係る画像集約システムの構成を示すブロック図
【図１８】画像取得装置登録部が登録する画像取得情報の一例を示す図
【図１９】実施形態６に係る画像集約システムの構成を示すブロック図
【図２０】周囲状況表示部が表示する周囲状況を含む画面
【図２１】ユーザ登録部が登録するユーザ情報の一例を示す図
【図２２】画像取得開始・終了位置情報の一例を示す図
【図２３】実施形態６に係る画像収集システムの別構成を示すブロック図
【図２４】実施形態７に係る画像集約システムの構成を示すブロック図
【図２５】収集対象画像関連情報表示部が表示する収集対象画像関連情報の一例を示す図
【図２６】画像提供条件の一例を示す図
【図２７】クライアント情報の一例を示す図
【図２８】実施形態７に係る画像集約システムの処理の流れを示すシーケンス図
【図２９】実施形態８に係る画像集約システムの構成を示すブロック図
【図３０】アクティブ化要請情報表示部が表示するアクティブ化要請情報の一例を示す図
【図３１】実施形態９に係る画像集約システムの構成を示すブロック図
【図３２】画像取得部で取得される画像を管理する管理ファイルの一例を示す図
【図３３】要請元情報の一例を示す図
【図３４】実施形態９に係る画像集約システムの処理の流れを示すシーケンス図
【図３５】画像関連情報更新部がデータベースに記憶する取得画像関連情報の一例を示す図
【図３６】クライアントのＷｅｂブラウザに表示される画面の一例を示す図
【図３７】抽出画像関連情報の一例を示す図
【図３８】抽出画像関連情報の一例を示す図
【図３９】抽出画像関連情報を受信したＷｅｂブラウザで表示される画面の一例を示す図
【図４０】抽出画像関連情報を受信したＷｅｂブラウザで表示される画面の一例を示す図
【図４１】抽出画像関連情報を受信したＷｅｂブラウザで表示される画面の一例を示す図
【図４２】収集対象画像指定情報の一例を示す図
【図４３】収集対象画像指定情報の一例を示す図
【図４４】実施形態９にかかる画像集約システムの別構成を示す図
【図４５】画像関連情報ファイルの一例を示す図
【図４６】実施形態１０にかかる画像集約システムの別構成を示す図
【図４７】その他の実施形態にかかる画像集約システムの構成を示す図
【図４８】その他の実施形態にかかる画像集約システムの処理の流れを示すシーケンス図
【発明を実施するための形態】
【００１１】
以下、本発明の各実施形態について図面を参照して詳細に説明する。以下の説明において同一の符号が付された部分は実質的に同一の機能を有している。また、発明の明確化のため重複部分は適宜説明が省略されている。
【００１２】
（実施形態１）
図１は本発明の実施形態１に係る画像集約システムの構成を示すブロック図である。画像集約システムは、複数の画像取得装置１００と、画像収集システム２００と、を含んで構成される。
【００１３】
画像取得装置１００は、所謂カメラに相当するデバイスであり静止画像や動画像（映像）の撮影を行うことで画像を取得する。画像取得装置１００としては、汎用的なデジタルカメラの他、携帯電話やスマートフォンと言った携帯端末装置やスマートグラスと言ったウェアラブル端末装置、ドライブレコーダーと言った車載装置などカメラ機能を有する様々なデバイス形態を取りうる。車とカメラが一体化されている場合には、当該車自体が画像取得装置になる。
【００１４】
所有者であるユーザの移動に伴って取得される画像の取得位置（撮影位置）が変化するこれらの画像取得装置１００を本明細書では特に移動型画像取得装置と称することがある。また、画像取得装置１００としては、店舗や構内に設置される防犯カメラや定点観測を行う観測カメラ、所定の対象を監視する監視カメラと言った形態も取りうる。予め定められた位置に固定した状態で設置されているこれらの画像取得装置１００を本明細書では特に固定型画像取得装置と称することがある。本実施形態１に係る画像取得装置１００は移動型画像取得装置であるとして説明する。
【００１５】
画像取得装置１００は、画像取得部１１０と、位置情報取得部１２０と、日時情報取得部１３０と、画像記憶部１４０と、取得画像関連情報送信部１５０と、収集対象画像送信要求情報受信部１６０と、収集対象画像抽出部１７０と、収集対象画像送信部１８０と、を具備する。
【００１６】
画像取得部１１０は、所謂カメラ機能であり静止画像や動画像の撮影を行うことで画像を取得する。画像取得部１１０は、固体イメージセンサにおける光電効果で生じたアナログ電気信号をAD変換処理によってデジタル信号に変換し、所定の画像補正処理と画像符号化処理を行うことでデジタル形式の画像符号化データを生成することにより画像を取得する。
【００１７】
位置情報取得部１２０は、画像取得部１１０で取得された画像の取得位置を示す画像取得位置情報を取得する。位置情報取得部１２０は、複数の衛星よりGPS信号を受信し、所定の演算処理によって現在の緯度座標情報と経度座標情報を算出することで現在の位置情報を取得する。位置情報取得部１２０は、画像取得部１１０で画像の取得処理が行われる場合に、現在位置を画像取得位置であるとして画像取得位置を示す画像取得位置情報を取得する。なお、位置情報取得部１２０は、GPS方式ではなく基地局からの電波強度を用いて画像取得位置情報を取得する構成などとしても良い。
【００１８】
日時情報取得部１３０は、画像取得部１１０で取得された画像の取得日時を示す画像取得日時情報を取得する。日時情報取得部１３０は、所謂時計機能であり、画像取得部１１０で画像の取得処理が行われる場合に、現在日時を画像取得日時であるとして画像取得日時を示す画像取得日時情報を取得する。
【００１９】
画像記憶部１４０は、画像取得部１１０で取得された画像を、当該画像が取得された位置を示す画像取得位置情報と、取得された日時を示す画像取得日時情報と関連付けた状態で記憶媒体に記憶する。具体的には、画像記憶部１４０は、画像取得部１１０で取得される画像の画像符号化データを画像ファイルとして、当該画像を識別する画像識別情報（画像ファイル名）と画像取得位置情報及び画像取得日時情報とを関連付けた状態で記憶媒体に記憶する。ここでいう記憶媒体とは、例えばHDD（Hard Disk Drive）やSSD（Solid State Drive）、SDカード等のメモリーカードなど、画像取得装置１００の電源を切った後でも画像ファイルを保存可能な不揮発性メモリなどを言う。
【００２０】
取得画像関連情報送信部１５０は、画像取得部１１０で取得された画像に関連する情報である取得画像関連情報を画像収集システム２００に送信する。取得画像関連情報としては、画像取得部１１０で取得された画像の取得位置を示す画像取得位置情報及び取得日時を示す画像取得日時情報の他、取得された画像を識別する画像識別情報や画像のデータサイズを示す画像データサイズ情報などが含まれていても良い。また、画像取得部１１０で取得された画像のファイル名に画像取得位置情報と画像取得日時情報が組み込まれる構成とし、取得画像関連情報として当該画像ファイル名を送信する構成としても良い。
【００２１】
なお、取得画像関連情報送信部１５０は、画像取得装置１００の所有者であるユーザから取得画像関連情報送信のための特段の操作を受けることなく、画像取得部１１０で取得された画像に関する取得画像関連情報を生成して自動的に画像収集システム２００に送信する構成とすると良い。ここで、取得画像関連情報送信部１５０は、新たに画像取得部１１０で画像が取得される毎に取得画像関連情報を送信する構成としても良い。また、取得画像関連情報送信部１６０は、ユーザからの画像取得開始操作に基づいて行われる一連の画像取得処理がユーザからの画像取得終了操作によって終了した段階で、新たにユーザから取得画像関連情報送信のための操作を別途受けることなく当該画像取得終了操作に基づいて当該一連の画像取得処理の間に取得された複数の画像に関する取得画像関連情報を纏めて画像収集システム２００へ送信する構成としても良い。
【００２２】
収集対象画像送信要求情報受信部１６０は、画像収集システム２００より送信される収集対象画像送信要求情報を受信する。収集対象画像送信要求情報は、各画像取得装置１００で取得されて記憶媒体に記憶されている複数の画像の中から、収集対象として指定されている画像を画像収集システム２００側に送信することを要求するための情報である。収集対象画像送信要求情報としては、収集対象とする画像を識別する画像識別情報または収集対象とする画像の取得範囲を指定する画像取得範囲指定情報が用いられる構成としても良い。
【００２３】
収集対象画像抽出部１７０は、受信された収集対象画像送信要求情報に基づいて、画像記憶部１４０が記憶媒体に記憶している複数の画像の中から収集対象として指定されている画像を抽出する。具体的には、収集対象画像抽出部１７０は、受信された収集対象画像送信要求情報に基づいて、収集対象として指定されている画像の画像ファイルを記憶媒体より読み出すことで当該画像を抽出する。収集対象画像抽出部１７０は、受信された収集対象画像送信要求情報に基づいて、画像記憶部１４０が記憶媒体に記憶している複数の画像の中から収集対象として指定されている画像の画像ファイルを読み出す処理を行うため、本明細書では収集対象画像ファイル読み出し部と称することがある。
【００２４】
例えば、収集対象画像送信要求情報として収集対象とする画像を識別する画像識別情報が受信される場合、収集対象画像抽出部１７０は、画像記憶部１４０が記憶媒体に記憶している複数の画像の中から収集対象画像送信要求情報として受信された画像識別情報で識別される画像の画像ファイルを記憶媒体より読み出すことで画像を抽出する。また、例えば、収集対象画像送信要求情報として収集対象とする画像の取得範囲を指定する画像取得範囲指定情報が受信される場合、収集対象画像抽出部１７０は、画像記憶部１４０が記憶媒体に記憶している複数の画像の中から収集対象画像送信要求情報として受信された画像取得範囲指定情報で指定されている位置範囲及び時間帯に画像取得部１１０で取得された画像の画像ファイルを記憶媒体より読み出すことで画像を抽出する。
【００２５】
なお、画像ファイルが一連の画像取得処理で生成された動画ファイルであり、その動画ファイルに含まれる一部の画像符号化データが収集対象として指定されている場合、収集対象画像抽出部１７０は、受信された収集対象画像送信要求情報に基づいて、画像記憶部１４０が記憶媒体に記憶している複数の動画ファイルの中から収集対象として指定されている位置範囲及び時間帯で取得された部分の画像符号化データを抽出して収集対象画像送信用の動画ファイルを新たに生成する。収集対象画像抽出部１７０は、このような構成で収集対象として指定されている画像を抽出しても良い。
【００２６】
収集対象画像送信部１８０は、収集対象画像抽出部１７０で抽出された収集対象となる画像を画像収集システム２００に送信する。より具体的には、収集対象画像送信部１８０は、画像取得部１１０で取得されて画像記憶部１４０が記憶媒体に記憶している画像の画像ファイルのうち、収集対象画像抽出部１７０で抽出された収集対象となる画像の画像ファイルを送信する。画像ファイルとしては静止画像であればjpegやbmpなどの形式で、動画像であればmpegやaviなどの形式でそれぞれ符号化されていると良い。
【００２７】
次に画像収集システム２００について説明する。画像収集システム２００は、例えば単数又は複数のサーバやデータベースが相互にネットワークで接続された状態で構成される。画像収集システム２００の所有者は、上述した各画像取得装置１００の所有者とは異なる。
【００２８】
画像収集システム２００は、取得画像関連情報受信部２１０と、取得画像関連情報記憶部２２０と、範囲指定情報受信部２３０と、指定範囲内画像抽出部２４０と、抽出画像関連情報送信部２５０と、収集対象画像指定情報受信部２６０と、収集対象画像送信要求情報送信部２７０と、収集対象画像受信部２８０と、収集対象画像記憶部２９０と、を具備する。
【００２９】
取得画像関連情報受信部２１０は、複数の画像取得装置１００でそれぞれ取得される各画像の取得位置を示す画像取得位置情報と取得日時を示す画像取得日時情報を取得画像関連情報として受信する。上述のように取得画像関連情報には、これらの情報の他、画像ファイル名など各画像を識別する画像識別情報などが含まれる構成とすると更に良好である。その他、取得画像関連情報には、当該取得画像関連情報にかかる画像を取得したユーザ又は画像取得装置を識別するユーザ識別情報や画像取得装置識別情報が含まれる構成としても良い。
【００３０】
取得画像関連情報記憶部２２０は、取得画像関連情報として受信された各画像の画像取得位置情報と画像取得日時情報を関連付けた状態で記憶する。取得画像関連情報記憶部２２０は所謂データベースであり、取得画像関連情報受信部２１０で順次受信される取得画像関連情報に含まれる各種情報をデータベースに格納していくことで、分散された状態で存在している各画像取得装置においてそれぞれ取得される各画像の画像取得位置情報と画像取得日時情報などの各種情報を記憶する。
【００３１】
範囲指定情報受信部２３０は、位置範囲と時間帯を指定する範囲指定情報を受信する。範囲指定情報は、画像集約システム内に存在している複数の画像の中から所定範囲で取得された画像を画像取得位置情報と画像取得日時情報を用いて抽出するためのトリガー情報である。したがって、本明細書では、範囲指定情報受信部２３０を特に画像抽出用範囲指定情報受信部２３０と、範囲指定情報を画像抽出用範囲指定情報と称することがある。また、範囲指定情報は、画像の送信を要求するクライアントが画像検索用に範囲を指定する情報と見ることもできるため、本明細書では当該範囲指定情報のことを画像検索用範囲指定情報と、範囲指定情報受信部２３０のことを画像検索用範囲指定情報受信部２３とそれぞれ称することがある。
【００３２】
指定範囲内画像抽出部２４０は、受信された範囲指定情報に基づいて、取得画像関連情報記憶部２２０によって画像取得位置情報と画像取得日時情報が記憶されている画像の中から範囲指定情報で指定される位置範囲と時間帯（時間範囲）で取得された画像を抽出する。
【００３３】
なお、指定範囲内画像抽出部２４０が行う画像の抽出とは当該画像の画像符号化データを記憶媒体から読み出す処理を指しているのではなく、受信された範囲指定情報で指定される位置範囲かつ時間帯で取得された画像が画像集約システム内のどこかに記憶されているかどうかの検索処理を行い当該検索結果を得ることを指す。したがって、本明細書では指定範囲内画像抽出部２４０のことを画像検索部と称することがある。画像検索部２４０は、取得画像関連情報記憶部２２０によって画像取得位置情報と画像取得日時情報が記憶されている画像の中から、検索範囲指定情報受信部２３０で受信された検索範囲指定情報で示される位置範囲及び時間帯において取得された画像があるかどうかを検索する。
【００３４】
抽出画像関連情報送信部２５０は、指定範囲内画像抽出部２４０で抽出された画像に関する情報である抽出画像関連情報を送信する。例えば、抽出画像関連情報送信部２５０は指定範囲内画像抽出部２４０で抽出された各画像をそれぞれ識別する画像識別情報を抽出画像関連情報として送信する。また例えば、抽出画像関連情報送信部２５０は、指定範囲内画像抽出部２４０で抽出された各画像の画像取得位置情報と画像取得日時情報を抽出画像関連情報として送信する。
【００３５】
なお、抽出画像関連情報送信部２５０は、画像検索部２４０が行う検索処理によって得られた検索結果をクライアントに返す処理を行っているとみることができる。したがって本明細書では抽出画像関連情報送信部を検索結果送信部と、抽出画像関連情報を検索結果情報とそれぞれ称することがある。検索結果送信部２５０は、画像検索部２４０が行う検索処理によって得られた検索結果を示す検索結果情報を送信する。
【００３６】
収集対象画像指定情報受信部２６０は、収集対象となる画像を指定する収集対象画像指定情報を受信する。収集対象画像指定情報は、抽出画像関連情報を受信したクライアントの端末装置より当該クライアントの収集対象画像指定操作に基づいて送信される。また、収集対象画像指定情報は、収集対象となる画像を識別する画像識別情報の形態を取っていても良いし、収集対象となる画像が取得された位置範囲及び時間帯を示す範囲情報の形態を取っていても良い。また、画像抽出部２４０で抽出された画像を収集対象となる画像として指定することを示す情報を収集対象画像指定情報として受信する構成としても良い。
【００３７】
収集対象画像指定情報は、クライアントが購入を決定した画像を指定するための情報である。したがって、本明細書では収集対象画像指定情報を購入対象画像指定情報と、収集対象画像指定情報受信部２６０を、購入対象画像指定情報受信部２６０と称することがある。購入対象画像指定情報受信部２６０は、購入対象となる画像を指定する購入対象画像指定情報を受信する。その他、収集対象画像指定情報は画像注文情報や注文画像指定情報と称されることがある。以下の説明では収集対象を購入対象と適宜読み替えることができる。
【００３８】
収集対象画像送信要求情報送信部２７０は、収集対象画像指定情報受信部２６０で受信された収集対象画像指定情報で指定された収集対象となる画像の送信を要求する収集対象画像送信要求情報を画像取得装置１００へ送信する。収集対象画像送信要求情報は、収集対象画像として送信を要求する画像を識別する画像識別情報の形態を取っていても良いし、収集対象画像として送信を要求する画像が取得された位置範囲及び時間帯を示す範囲情報の形態を取っていても良い。
【００３９】
収集対象画像受信部２８０は、収集対象画像送信要求情報送信部２７０より送信された収集対象画像送信要求情報に基づいて画像取得装置１００より送信される画像を受信する。具体的には、収集対象画像受信部２８０は、当該収集対象画像送信要求情報に基づいて送信される画像の実体である画像符号化データすなわち画像ファイルを受信する。
【００４０】
収集対象画像記憶部２９０は、収集対象画像として受信した画像を記憶媒体に記憶する。具体的には、収集対象画像記憶部２９０は収集対象画像として受信した画像の実体である画像符号化データ（画像ファイル）を記憶媒体に記憶し、当該画像のファイル名や画像取得位置情報、画像取得情報を収集済み画像関連情報としてデータベースに合わせて記憶する構成とすると良い。当該収集対象画像の画像ファイルは適宜クライアントの端末装置へ送信される。
【００４１】
図２は、本実施形態１の画像集約システムの処理の流れを示すシーケンス図である。画像取得部１１０は、画像を取得する処理を行う（S101）。位置情報取得部１２０は、S101において画像が取得された位置を示す画像取得位置情報を取得する処理を行う（S102）。日時情報取得部１３０は、S101で画像が取得された日時を示す画像取得日時情報を取得する処理を行う（S103）。画像記憶部１４０は、S101で取得された画像をS102で取得された画像取得位置情報とS103で取得された画像取得日時情報と関連付けた状態で記憶媒体に記憶する処理を行う（S104）。ここで、画像記憶部１４０は、S101における画像取得処理で得られた画像符号化データを画像取得位置情報及び画像取得日時情報と関連付けた状態で画像ファイルとして記憶媒体に記憶する処理を行う。
【００４２】
取得画像関連情報送信部１５０は、S102とS103でそれぞれ取得された画像取得位置情報と画像取得日時情報を取得画像関連情報として画像収集システム２００へ送信する処理を行う（S105）。複数の画像取得装置１００においてS101〜S105の処理が行われることで、各画像取得装置１００から画像収集システム２００へ各画像取得装置１００で取得される各画像の取得画像関連情報が送信される。なお、S101〜S103の各ステップは順不同であっても良い。
【００４３】
画像収集システム２００において、取得画像関連情報受信部２１０はS105で各画像取得装置１００から送信される取得画像関連情報を受信する処理を行う（S201）。すなわち、取得画像関連情報受信部２１０は、複数の画像取得装置１００でそれぞれ取得される各画像の取得位置を示す画像取得位置情報と取得日時を示す画像取得日時情報を取得画像関連情報として受信する処理を行う。
【００４４】
取得画像関連情報記憶部２２０は、S201で受信される取得画像関連情報をデータベースに記憶する処理を行う（S202）。すなわち、取得画像関連情報記憶部２２０は、S201で受信された画像取得位置情報と画像取得日時情報を関連付けた状態で記憶する処理を行う。S201で受信される取得画像関連情報をS202でデータベースに記憶する処理を行うことで、画像の実体である画像符号化データ（画像ファイル）は各画像取得装置１００側にだけ記憶されている一方画像収集システム２００内にはまだ記憶されていない各画像のメタ情報（付随情報）である取得位置と取得日時を画像収集システム２００側で把握することが可能となる。
【００４５】
なお、S202の段階では、画像取得装置１００で取得された画像の実際の画像符号化データ（画像ファイル）は画像取得装置１００に留まり、画像収集システム２００は当該取得された画像の付随情報である取得画像関連情報だけ受信する。したがって、S202の段階では画像取得装置１００で取得された画像の所有権や著作権が画像収集システム２００の所有者に譲渡またはライセンスされておらず、画像取得装置１００の所有者に帰属した状態が維持されている。
【００４６】
Webブラウザ３００は、画像収集システム２００で収集可能な画像を利用する画像利用者（以下、クライアントと称する。）の端末装置にインストールされているWebブラウザである。当該Webブラウザ３００を用いて、クライアントは利用したい画像の取得位置と取得日時の範囲を指定する操作をGUI等を用いて行う（S301）。例えば、Webブラウザ３００は、購入や利用したい画像が含まれる位置範囲の地図情報を画像収集システム２００内又は画像収集システム２００外に別途配置されている地図サーバから受信し、描画処理を行って対応する地図を表示する処理を行う。ユーザが当該地図における単数又は複数の位置を指定することで当該位置範囲が指定される。
【００４７】
S301における操作に従い、Webブラウザ３００は、位置範囲と時間帯を指定する範囲指定情報を生成して画像収集システム２００に送信する処理を行う（S302）。なお、クライアントが範囲指定情報を生成するためのソフトウェアとしてはWebブラウザであっても良いし専用のアプリケーションであっても良い。また、S301でクライアントが行う操作は、所定の範囲内にどの程度の画像が存在しているかの検索処理の実行及び検索結果の送信を画像収集システム２００へ要求するための操作となる。
【００４８】
画像収集システム２００において、範囲指定情報受信部２３０は、クライアントのWebブラウザやアプリケーションといったソフトウェアより送信される所定の位置範囲と所定の時間帯を指定する範囲指定情報をインターネット等のネットワークを介して受信する処理を行う（S203）。指定範囲内画像抽出部２４０は、S203で受信された範囲指定情報で指定される範囲で取得された画像を抽出する処理を行う（S204）。例えば、指定範囲内画像抽出部２４０は、S202でデータベースに取得画像関連情報として記憶されている各画像の画像取得位置情報と画像取得日時情報を参照し、S203で受信された範囲指定情報で指定される範囲で取得された画像を抽出する処理を行う。なお、上述した通り画像の実体である画像ファイルは各画像取得装置に留まっており、画像収集システム２００には未だ回収されていない。したがって、指定範囲内画像抽出部２４０は、具体的にはS202でデータベースに記憶されている各画像の取得画像関連情報を参照し、S203で受信された範囲指定情報で指定される範囲で取得された画像の取得画像関連情報の一部又は全部をデータベースより読み出す処理を行うことで画像を抽出する。
【００４９】
抽出画像関連情報送信部２５０は、S204で抽出された画像に関する情報である抽出画像関連情報を送信する処理を行う（S205）。例えば、抽出画像関連情報送信部２５０は、S204で抽出された画像を識別する画像識別情報を抽出画像関連情報としてS203で受信した範囲指定情報の送信元のWebブラウザ３００へ送信する処理を行う。また、例えば、抽出画像関連情報送信部２５０は、S204で抽出された画像の画像取得位置情報や画像取得日時情報を抽出画像関連情報としてS203で受信した範囲指定情報の送信元のWebブラウザ３００へ送信する処理を行う。
【００５０】
Webブラウザ３００は、S205で送信される抽出画像関連情報を受信する処理を行う（S303）。クライアントは、S303で受信される当該抽出画像関連情報を参照し、Webブラウザを通じて実際に収集対象とする画像を指定するための操作を行う（S304）。Webブラウザ３００は、抽出された画像の中から収集対象となる画像を指定する収集対象画像指定情報をS304での操作に基づいて生成し、画像収集システム２００に送信する処理を行う（S305）。
【００５１】
画像収集システム２００において、収集対象画像指定情報受信部２６０は、収集対象となる画像を指定する収集対象画像指定情報を受信する処理を行う（S206）。上述の通り、収集対象画像指定情報はS305でクライアントのWebブラウザ３００より送信される。収集対象画像送信要求情報送信部２７０は、S206で受信された収集対象画像指定情報で指定されている収集対象となる画像の送信を要求する収集対象画像送信要求情報を当該送信要求にかかる画像取得装置１００へ送信する処理を行う（S207）。
【００５２】
画像取得装置１００において、収集対象画像送信要求情報受信部１６０は、収集対象となる画像の送信を要求する収集対象画像送信要求情報を受信する処理を行う（S106）。収集対象画像抽出部１７０は、S106で受信された収集対象画像送信要求情報に基づいて、S104で記憶媒体に記憶されている複数の画像の中から収集対象として送信を要求されている画像を抽出する処理を行う（S107）。具体的には、収集対象画像抽出部１７０は、S106で受信された収集対象画像送信要求情報に基づいて、S101で取得されてS104で記憶媒体に記憶されている複数の画像の中から収集対象として送信を要求されている画像の画像符号化データ（画像ファイル）を複製する処理を行うことで当該画像を抽出する。収集対象画像送信部１８０は、S107で抽出された収集対象となる画像を画像収集システム２００に送信する処理を行う（S108）。当該S107で収集対象画像抽出部１７０が抽出する画像やS108で収集対象画像送信部１８０が送信する画像は、画像取得部１１０で取得されて画像記憶部１４０によって記憶媒体に記憶されている静止画像や動画像の実体である画像符号化データすなわち画像ファイルである。
【００５３】
画像収集システム２００において、収集対象画像受信部２８０は、S208で画像取得装置１００へ送信された収集対象画像送信要求情報に基づいて実際に当該収集対象画像が記憶されている画像取得装置１００より送信される画像を受信する処理を行う（S208）。具体的には、収集対象画像受信部２８０は、収集対象画像送信要求情報に基づいて画像取得装置１００より送信される画像の画像ファイルを受信する処理を行う。収集対象画像記憶部２９０は、S208で受信した画像を記憶媒体に記憶する処理を行う（S209）。当該S208で受信される画像は具体的な画像符号化データ（画像ファイル）であり、画像取得装置１００で取得沙汰画像の実体である当該画像符号化データ（画像ファイル）がS209の段階で初めて画像収集システム２００内に記憶される。
【００５４】
以上説明したように、本実施形態１にかかる画像集約システムによれば、各画像取得装置１００でそれぞれ取得される画像の実体である画像符号化データ（画像ファイル）は各画像取得装置１００内に保持されており、その画像の付随情報である取得画像関連情報だけがネットワークを介して繋がっている画像収集システム２００に先に収集されてデータベースに格納される。したがって、同一被写体が写っている画像が複数の画像取得装置１００に分散された状態で記憶される状態を保ちつつも、先に画像収集システム２００に回収されてデータベースに集約された状態で記憶されている取得画像関連情報を参照することでクライアントは実際に利用する画像の指定が容易になる。以上により被写体のプライバシーとクライアントの利便性を調和させることが可能となる。
【００５５】
本発明のように大量に取得される画像の中から所定の条件を満たす画像を抽出してクライアントへ提供するシステムを構築する場合、当該画像を取得する多数の画像取得装置が必要となる。しかしながら、これらの多数の画像取得装置を一人の所有者が用意するとなると初期投資が膨大になり事業リスクが高まることになる。例えば、一般的に画像取得装置の平均価格は1万円〜10万円になることが多いが、このような画像取得装置を100万台用意するとなると100億円〜1000億円の巨額初期投資が必要となる。
【００５６】
このようなリスクを回避するためには、画像取得装置の所有者を分散させることが好ましい。しかし、画像取得装置の所有者が分散すると、当該画像取得装置で取得される画像の所有権は通常当該画像取得装置の所有者に帰属することになる。日本の民法２０６条の規定により所有権は、所有物の使用・収益・処分が自由に行えるためである。したがって、他の所有者の画像取得装置で取得されて記憶されている画像を画像収集システムの所有者が完全に制御することは困難になる。例えば、画像取得装置に記憶されている画像を当該画像取得装置の所有者が自らの意思で削除することを画像収集システムの所有者が禁止することは所有権の基本原則に照らし合わせると困難になる。
【００５７】
このような問題を解決する一つの手段として、各画像取得装置で取得される画像の画像符号化データを当該画像取得装置内で複製し、当該画像符号化データを所有権又はライセンス付きで画像収集システムへ逐次送信する方法が考えられる。このようにすれば、例え原画像の画像符号化データが画像取得装置の所有者によって当該装置内で消去されたとしても、複製されて既に送信されている画像符号化データは画像収集システムで記憶管理されているため問題になることはない。デジタル形式を取る場合、オリジナルデータとコピーデータは、一般的に価値に差を生じないためである。
【００５８】
各画像取得装置で取得される画像の大部分が、例えばプロの写真家や映像制作会社が撮影する静止画像や動画像のように価値の高い画像である場合は当該方法を採用することができる。しかしながら、各画像取得装置で取得される画像が玉石混交であり、大部分が利用されない無価値の画像である場合、このような大量の無価値の画像をネットワークを介して画像収集システムへ送信することはリソースの無駄遣いとなる。すなわち、各画像取得装置で取得される画像のうち９９％が買い手のつかない無価値な画像である場合は、当該９９％の画像の画像符号化データを画像収集システムへ送信する際のネットワークリソースや画像収集システムで保管しておくストレージリソースの無駄が顕著になる。なぜならば、画像符号化データはメタデータや文章データ等と比較して容量が大きいためである。
【００５９】
このことを鑑みると、玉石混交の画像の中から所定の条件を満たす画像を抽出してクライアントに提供する画像集約システムを低リスクで構築する場合、所有者が異なる複数の画像取得装置で取得される画像の画像符号化データは画像取得装置に留めておき、クライアントから要求があった場合に当該画像取得装置から条件を満たす画像の画像符号化データを画像収集システムへ送信する構成をとることが好ましいことになる。
【００６０】
しかしながら、画像集約システムの中にどのような画像が存在しているかをクライアントとのインタフェースとなる画像収集システム側で把握できていないと、クライアントの利便性が低下することになる。なぜならば、画像収集システムの所有者はクライアントに対してどのような画像が利用可能であるかを十分に提示できないため、クライアントは画像を注文しても期待した画像を結局入手できないという事態が多発する可能性があるためである。
【００６１】
これらの事情を鑑み、本実施形態１にかかる画像集約システムでは、所有者が異なる複数の画像取得装置で新たに画像が取得される場合、当該取得された画像のメタデータ（付随情報）である取得画像関連情報を画像収集システムへ送信する一方、この段階では当該画像の画像ファイルは画像収集システムへ送信することなく画像取得装置の記憶媒体に記憶される。画像収集システムは、当該メタデータである取得画像関連情報をデータベース化し、クライアントからの要求に応じて、当該データベース化されている取得画像関連情報を抽出画像関連情報へ加工して提供する。クライアントは当該抽出画像関連情報を手掛かりとして実際に画像ファイルを入手したい画像を指定し、画像収集システムは当該指定された画像の画像ファイルを画像取得装置より受信してクライアントへ送信する。
【００６２】
このように、所有者が異なる画像取得装置で取得される画像のメタデータを収集するタイミングと当該画像の実際の画像ファイルを収集するタイミングを異なるように構成し、画像のメタデータである取得画像関連情報は画像が取得される場合に自動的に画像収集システムへ送信されるように、一方で画像ファイルはクライアントからの発注を受けた画像収集システムからの送信要求を受けて送信されるようにする。当該構成とすることで、リスクを低減しつつクライアントにとって利便性の高い画像集約システムを構築することが可能となる。
【００６３】
例えば、事故や犯罪、災害など偶発的に発生するイベントが収められた画像を活用する場合には、このように撮影だけ分散して行っておき、当該偶発的なイベントが発生した場合にのみそのイベントが写っている蓋然性が高い画像を回収する本発明のシステム構成が、全てのカメラを制御して撮影に挑むロバストなシステムよりも費用対効果で優れていることになる。
【００６４】
（実施形態２）
実施形態１の画像集約システムにおいて、各画像取得装置と画像収集システムは所有者が異なるため、画像収集システム側から各画像取得装置内に記憶されている画像を完全に制御することはできない。したがって、画像収集システムで把握する画像と実際に画像取得装置に記憶されている画像に一時的に齟齬が生じることを許容しつつ、その齟齬を管理することが求められる。当該問題を鑑み、本実施形態２では、クライアントである画像利用者と実際に画像を取得する画像取得者との調和を保ちつつ利便性の高い画像集約システムを提供することを目的とする。本明細書では当該画像取得装置を使用して画像を取得する画像取得者をユーザと称することがある。以下、図面を参照して説明する。但し、既に説明した部分については説明を省略する。以下の実施形態においても同様である。
【００６５】
図３は、本実施形態２に係る画像集約システムの構成を示すブロック図である。移動型画像取得装置２１００は、画像取得部１１０と、位置情報取得部１２０と、日時情報取得部１３０と、画像記憶部１４０と、取得画像関連情報送信部１５０と、収集対象画像送信要求情報受信部１６０と、収集対象画像抽出部１７０と、収集対象画像送信部１８０と、ユーザ登録部２１１０と、画像消去部２１２０と、消去画像関連情報送信部２１３０と、時間計測部２１４０と、収集対象画像確認情報送信部２１５０と、を具備する。
【００６６】
ユーザ登録部２１１０は、画像取得装置２１００の所有者であるユーザに関する情報をユーザ情報として画像収集システム２２００に登録する。ユーザ登録部２１１０は、ユーザからのユーザ情報登録操作を入力し、当該入力されたユーザ情報を画像収集システム２２００に送信することで画像収集システム２２００にユーザ登録を行う。画像収集システム２００が備えるユーザ登録部２２１０と区別するため、本明細書ではユーザ登録部２１１０を装置側ユーザ登録部と称することがある。
【００６７】
画像消去部２１２０は、画像記憶部１４０に記憶されている画像を消去する。画像消去部２１２０はユーザからの画像消去操作が入力された場合や所定の画像自動消去処理によって記憶媒体の中から画像を消去する。
【００６８】
消去画像関連情報送信部２１３０は、画像消去部２１２０が消去した画像に関する消去画像関連情報を情報収集システム２２００に送信する。例えば、消去画像関連情報送信部２１３０は、消去された画像を識別する画像識別情報を消去画像関連情報として情報収集システム２２００に送信する。この場合、取得画像関連情報送信部１５０は、画像取得部１１０で取得された画像の取得位置を示す画像取得位置情報と当該画像の取得日時を示す画像取得日時情報に加えて当該画像を識別する画像識別情報を取得画像関連情報として情報収集システム２２００に送信する。
【００６９】
時間計測部２１４０は、所謂タイマーであり所定の時間を計測する。
【００７０】
収集対象画像確認情報送信部２１５０は、時間計測部２１４０における所定の時間計測が完了するタイミング毎に、情報収集システム２２００へ収集対象画像確認情報を送信する。収集対象画像確認情報は、自装置の記憶媒体に記憶されている複数の画像の中に収集対象となる画像が存在するかを確認するための情報である。
【００７１】
情報収集システム２２００は、取得画像関連情報受信部２１０と、取得画像関連情報記憶部２２０と、範囲指定情報受信部２３０と、指定範囲内画像抽出部２４０と、抽出画像関連情報送信部２５０と、収集対象画像指定情報受信部２６０と、収集対象画像送信要求情報送信部２７０と、収集対象画像受信部２８０と、収集対象画像記憶部２９０と、ユーザ登録部２２１０と、消去画像関連情報受信部２２２０と、取得画像関連情報消去部２２３０と、フラグ更新部２２４０と、収集対象画像確認情報受信部２２５０と、収集対象画像存在判定部２２６０を具備する。
【００７２】
ユーザ登録部２２１０は、画像取得装置２１００におけるユーザ登録部２１１０において行われるユーザ登録処理に基づいてユーザ情報をデータベースに登録する。図４は、当該登録されるユーザ情報の一例を示している。登録されるユーザ情報としては、例えばユーザを識別するユーザID、ユーザの認証を行う際に用いられるパスワードの他、当該ユーザに対して収集対象となる画像が存在しているかを示す収集対象画像存在フラグがフィールドとしてデータベースに登録される。画像取得装置２１００が備えるユーザ登録部２１１０と区別するため、本明細書ではユーザ登録部２２１０をシステム側ユーザ登録部と称することがある。
【００７３】
取得画像関連情報受信部２１０は、取得画像関連情報として各画像取得装置２１００で取得される各画像の取得位置を示す画像取得位置情報と取得日時を示す画像取得日時情報と各画像を識別する画像識別情報を受信する。
【００７４】
取得画像関連情報記憶部２２０は、取得画像関連情報として受信された各画像の画像取得位置情報と画像取得日時情報と画像識別情報をそれぞれ関連付けた状態で記憶する。図５は、取得画像関連情報記憶部２２０が記憶する取得画像関連情報の一例を示している。図５において、取得画像関連情報記憶部２２０は、新たに取得画像関連情報が受信された画像に対して当該画像を一意に管理する画像管理番号を画像収集システム２２００側で新たに割り当て、取得画像関連情報として受信された各画像の画像取得位置情報と画像取得日時情報と画像識別情報を当該画像管理番号と関連付けた状態でデータベースへ登録する。
【００７５】
なお、図５では当該画像管理番号で管理される画像のユーザ、すなわち当該画像の取得画像関連情報の送信元ユーザを識別するユーザ識別情報（ユーザID）と、当該画像が収集対象であるかどうかを示す収集対象画像フラグ、当該画像が既に画像取得装置２１００側から画像収集システム２２００側へ送信されて収集済みの画像であるかどうかを示す収集済み画像フラグ、が合わせて関連付けられた状態で記憶されている。
【００７６】
ここで、取得画像関連情報に含まれる画像識別情報は画像収集システム２２００と当該取得画像関連情報に係る画像を取得した画像取得装置２１００との間で当該画像を識別する情報である。画像識別情報は各画像取得装置２１００側で新たに取得される画像に対して割り当てられる。一方、画像管理番号は画像集約システム内で各画像に一意に割り当てられる情報であり、当該画像管理番号を用いて各画像を識別することができる。本明細書では前者の画像識別情報を第１種画像識別情報と、後者の画像管理番号を第２種画像識別情報と称することがある。したがって、取得画像関連情報記憶部２２０で取得画像関連情報がデータベースに記憶される画像は、各画像取得装置２１００側で割り当てられる識別情報と画像収集システム２２００側で各画像に対して一位に割り当てられる識別情報の２種類の識別情報で識別することが可能となる。
【００７７】
消去画像関連情報受信部２２２０は、画像取得装置２１００内から消去された画像に関する消去画像関連情報を受信する。本実施形態２では、画像取得装置２１００で新たに取得された画像を識別する画像識別情報が取得画像関連情報として受信されるため、消去画像関連情報受信部２２２０は、消去された画像を識別する画像識別情報を消去画像関連情報として受信する構成とすると良い。消去画像関連情報受信部２２２０は、画像取得装置２１００内から消去された画像を識別する画像識別情報を消去画像関連情報として受信する。
【００７８】
消去画像関連情報は過去に画像取得装置２１００で取得された画像について受信されて記憶されている取得画像関連情報を消去するための情報である。したがって、消去画像関連情報受信部２２２０は、過去に取得画像関連情報受信部２１０が受信して取得画像関連情報記憶部２２０が記憶媒体に既に記憶している取得画像関連情報を消去するための消去画像関連情報を受信する。
【００７９】
取得画像関連情報消去部２２３０は、取得画像関連情報記憶部２２０によって取得画像関連情報が記憶されている画像の中から消去画像関連情報が受信された画像の取得画像関連情報を消去する。例えば、取得画像関連情報消去部２２３０は、取得画像関連情報が記憶されている画像の中から消去画像関連情報で示される画像の取得画像関連情報を消去する。
【００８０】
範囲指定情報受信部２３０は、画像集約システム内に存在している複数の画像の中から所定範囲で取得された画像を画像取得位置情報と画像取得日時情報に基づいて抽出するための情報である範囲指定情報を受信する。位置範囲を指定するための範囲指定情報としては、矩形である位置範囲の境界の４つの頂点のうち対角線上の２地点の座標情報を用いることが出来る。また時間帯を指定する範囲指定情報としては２つの日時情報を用いることが出来る。図６は、当該範囲指定情報の一例を示している。
【００８１】
指定範囲内画像抽出部２４０は、受信された範囲指定情報に基づいて、取得画像関連情報記憶部２２０によって画像取得位置情報と画像取得日時情報が記憶されている画像の中から範囲指定情報で指定される位置範囲と時間帯で取得された画像を抽出する。例えば、指定範囲内画像抽出部２４０は、受信された範囲指定情報に基づいて、当該範囲指定情報で指定される位置範囲と時間帯で取得された画像に割り当てられた画像管理番号をデータベースから読み出す。図７は、図６に示す範囲指定情報に基づいて抽出された画像の一覧を示している。
【００８２】
抽出画像関連情報送信部２５０は、画像抽出部２４０で抽出された画像に関する情報である抽出画像関連情報を送信する。例えば、抽出画像関連情報送信部２５０は画像抽出部２４０で抽出された画像に一意に割り当てられて当該画像を識別する第２画像識別情報（画像管理番号）と、当該抽出された画像が取得された位置及び日時を示す画像取得位置情報及び画像取得日時情報を抽出画像関連情報として送信する。例えば、抽出画像関連情報送信部２５０は、図７に示すテーブルを抽出画像関連情報として送信する。
【００８３】
収集対象画像指定情報受信部２６０は、画像抽出部２４０で抽出された画像の中から収集対象となる画像を指定する収集対象画像指定情報を受信する。例えば、収集対象画像指定情報受信部２６０は、抽出画像関連情報として送信された複数の画像をそれぞれ識別する各第２画像識別情報の中から収集対象画像として指定された画像の第２画像識別情報を当該収集対象画像指定情報として受信する。図８は、収集対象画像指定情報の一例を示している。抽出画像関連情報としてクライアントに示された図７に示す８個の画像のうち、クライアントは図８に示す６個の画像を収集対象画像として指定していることを示している。
【００８４】
フラグ更新部２２４０は、収集対象画像指定情報受信部２６０で受信された収集対象画像指定情報に基づいて、取得画像関連情報記憶部２２０によって取得画像関連情報が記憶されている画像のうち収集対象として指定されている画像についてフラグを立てる。例えば、フラグ更新部２２４０は、取得画像関連情報記憶部２２０によって取得画像関連情報が記憶されている画像のうち、収集対象画像指定情報として受信された第２種画像識別情報で識別される画像の収集対象画像フラグを変更する。また、ユーザ登録部２２１０が登録したユーザ情報データベースに設けられた各ユーザのフィールドのうちフラグ更新部２２４０は、収集対象画像フラグが変更された画像を取得したユーザの収集対象画像存在フラグを変更する構成とすると更に良好である。
【００８５】
例えば、ユーザAがX,Y,Zの画像を取得しており、ユーザBが、S,T,Uの画像を取得しているとする。ここで、収集対象画像指定情報に基づいて、Zの画像が収集対象画像として指定された場合、フラグ更新部２２４０は、Zの画像に収集対象画像フラグを立てるとともに、ユーザAに対して収集対象画像存在フラグを立てる処理を行う。
【００８６】
収集対象画像確認情報受信部２２５０は、各画像取得装置２１００より自装置の記憶媒体に記憶されている複数の画像の中に収集対象となる画像が存在するかを確認するための情報である収集対象画像確認情報を受信する。本実施形態２では収集対象画像確認情報として各ユーザを識別するユーザIDを用いる構成について説明する。
【００８７】
収集対象画像存在判定部２２６０は、収集対象画像確認情報受信部２２５０で受信された収集対象画像確認情報に基づいて、当該収集対象画像確認情報の送信元の画像取得装置２１００に収集対象として指定されている画像が存在するかを判定する。例えば、収集対象画像存在判定部２２６０は、ユーザ情報データベースを参照し収集対象画像確認情報受信部２２５０で受信された収集対象画像確認情報で示されるユーザの収集対象画像存在フラグを読み出し、フラグが立っているかを判定する。当該判定の結果フラグが立っている場合は、取得画像関連情報が格納されているデータベースを参照して当該ユーザの画像取得装置２１００で取得された画像のうち収集対象画像フラグが立っている画像の第１種画像識別情報を読み出す。
【００８８】
収集対象画像送信要求情報送信部２７０は、収集対象画像指定情報受信部２６０で受信された収集対象画像指定情報で指定された収集対象となる画像の送信を要求する収集対象画像送信要求情報を送信する。例えば、収集対象画像送信要求情報送信部２７０は、収集対象画像存在判定部２２６０における判定処理で読み出された収集対象となる画像の第１種画像識別情報を収集対象画像送信要求情報として収集対象画像確認情報の送信元である当該画像取得装置１００へ送信する。
【００８９】
収集対象画像受信部２８０は、収集対象画像送信要求情報送信部２７０より送信された収集対象画像送信要求情報に基づいて送信される画像を受信する。具体的には、収集対象画像受信部２８０は、当該収集対象画像送信要求情報に基づいて送信される画像の画像ファイルを受信する。
【００９０】
収集対象画像記憶部２９０は、収集対象画像として受信した画像を記憶媒体に記憶する。具体的には、収集対象画像記憶部２９０は収集対象画像として受信した画像の画像ファイルを記憶媒体に記憶する。また、図９に示すように収集対象画像記憶部２９０は、当該収集された画像に対して画像管理番号を別途割り当て、当該画像のファイル名や画像取得位置情報、画像取得情報を収集済み画像関連情報としてデータベースに記憶する構成とすると良い。本明細書では、画像集約システムに存在する画像のうち、画像収集システム２２００で収集された各画像に新たに割り当てられる画像管理番号を第３種画像識別情報と称することがある。
【００９１】
また、フラグ更新部２２４０は、ユーザ情報データベースの当該ユーザのエントリに設けられたフィールドである収集対象画像存在フラグと、取得画像関連情報データベースの当該収集された画像のエントリに設けられた収集対象画像フラグを元に戻すフラグ更新処理を行うと良い。また、フラグ更新部２２４０は、取得画像関連情報データベースの当該収集された画像のエントリに設けられた収集済み画像フラグをセットするフラグ更新処理を合わせて行うと良い。
【００９２】
以上説明したように、本実施形態２に係る画像集約システムでは、各画像取得装置で消去された画像に関する情報を画像収集システムで把握できることで、実際に記憶されている画像と画像収集システムで把握している画像の整合性の齟齬を抑えることが出来る。
【００９３】
また、本実施形態２では、画像収集システムが把握している各画像取得装置で分散された状態で記憶されている各画像について２種類の画像識別情報で管理する。画像利用者であるクライアントと画像収集システム間で用いられる画像識別情報を画像取得者であるユーザと画像収集システム間で用いられる画像識別情報と異なるようにすることで、クライアント側からは利用する画像がどのユーザによって取得されたかを隠蔽できる。したがって、ユーザのプライバシーも高いレベルで維持することが可能になる。
【００９４】
なお、上記説明では消去画像関連情報受信部２２２０で受信された消去画像関連情報に基づいて取得画像関連情報記憶部２２０がデータベースに記憶している取得画像関連情報の中から消去された画像に関する情報を消去画像関連情報消去部２２３０が消去する場合について説明したがこれに限定するものではない。例えば、消去画像関連情報消去部２２３０はデータベースに記憶されている取得画像関連情報の内、画像取得装置２１００内から消去された画像に関する取得画像関連情報を更新する処理を行っても良い。
【００９５】
例えば、新たに消去済み画像フラグを示すフィールドを設定し、取得画像関連情報消去部２２３０は、消去画像関連情報が受信された画像についての消去済み画像フラグを立てることで、画像取得装置２１００に画像ファイルが記憶されている画像と、既に画像ファイルが消去されている画像を判別可能な状態で管理する構成としても良い。この場合、指定範囲内画像抽出部２４０は、範囲指定情報で指定される範囲で取得された画像のうち、消去済み画像フラグが立っていない画像を抽出する処理を行うと良い。
【００９６】
また、ユーザ登録部２２１０は、ユーザ情報として画像のライセンス契約に関する情報を登録する構成とすると更に良好である。画像収集システム２２００の所有者は、各画像取得装置２１００の所有者であるユーザと予め画像の取り扱いに関するライセンス契約を結んでおき、収集対象画像送信要求情報を画像取得装置２１００に送信することで自動的に画像ファイルを収集できるようにすると良い。この場合、予めライセンス契約を締結しているため、画像収集システム２２００の所有者は、収集した画像について複製や公衆回線を通じた配布をライセンス契約で示す契約範囲内で自由に行うことが可能となる。
【００９７】
（実施形態３）
取得される画像が動画像の場合、取得された動画像の各タイミングにおける画像取得位置情報をリアルタイムで画像収集システムに送信することは、ユーザの現在位置を継続的に追跡することに繋がるため、ユーザのプライバシーの維持の観点から問題になることがあった。そこで、本実施形態３に係る画像集約システムでは、画像取得者であるユーザのプライバシーを維持しつつ、画像利用者であるクライアントの利便性を一定に保つ画像集約システムを提供することを目的とする。
【００９８】
図１０は、本実施形態３に係る画像集約システムの構成を示すブロック図である。当該画像集約システムにおいて、画像取得装置３１００は、画像取得部１１０と、位置情報取得部１２０と、日時情報取得部１３０と、画像記憶部１４０と、収集対象画像送信要求情報受信部１６０と、収集対象画像抽出部１７０と、収集対象画像送信部１８０と、ユーザ登録部２１１０と、画像消去部２１２０と、時間計測部２１４０と、収集対象画像確認情報送信部２１５０と、画像関連情報ファイル生成部３１１０と、画像関連情報ファイル送信部３１２０と、を具備する。
【００９９】
画像取得部１１０は、ユーザからの動画像撮影開始操作に基づいて画像取得処理を開始し、ユーザからの動画像撮影終了操作に基づいて画像取得処理を停止する。位置情報取得部１２０と日時情報取得部１３０は、画像取得部１１０で継続的に動画像が取得される所定のタイミング毎に画像取得位置情報及び画像取得日時情報を取得する。例えば、１０秒毎のタイマーをセットし、当該タイマーが切れるタイミング毎に位置情報取得部１２０と日時情報取得部１３０は、画像取得位置情報及び画像取得日時情報を取得する。画像記憶部１４０は、当該タイマーが切れる１０秒間に画像取得部１１０で取得される動画像を当該画像取得位置情報及び画像取得日時情報と関連付けて動画像ファイルとして記憶媒体に記憶していく。
【０１００】
画像消去部２１２０は、画像取得部１１０で新たに動画像が取得される場合に、所定の基準に基づいて画像記憶部１４０が過去に記憶した動画像を消去する。例えば、画像消去部２１２０は、画像取得部１１０で新たに動画像を取得するための空き容量が記憶媒体に残っていない場合に、最も古い動画像の画像符号化データすなわち動画像ファイルを消去する。
【０１０１】
画像関連情報ファイル生成部３１１０は、画像取得部１１０における画像取得処理によって継続的に取得されていく動画像に関するメタ情報を記録するためのファイルである画像関連情報ファイルを生成する。画像関連情報ファイルには、一連の画像取得処理において画像取得部１１０で継続的に取得される各画像を識別する画像識別情報と各動画像の取得位置及び取得日時を示す画像取得位置情報及び画像取得日時情報が取得画像関連情報として順次記録されていく。また、画像関連情報ファイル生成部３１１０は、画像消去部２１２０で消去される画像を識別する画像識別情報を消去画像関連情報として画像関連情報ファイルに記録する。
【０１０２】
図１１は、画像関連情報ファイル生成部３１１０が生成する画像関連情報ファイルの一例である。図１１の例では、新たに取得された画像を識別する画像ファイル名と、画像取得位置情報及び画像取得日時情報の他、取得された画像の録画時間、ファイルサイズ（画像符号化データサイズ）、解像度といった情報が画像関連情報ファイルに記録されている。また消去された画像を識別する画像識別情報が記録されている。取得・消去フラグは、当該画像が新たに取得された画像であるか消去された画像であるかを示すフラグであり、“１”は取得されたことを、“０”は消去されたことを示している。
【０１０３】
画像関連情報ファイル送信部３１２０は、画像関連情報ファイル生成部３１１０で生成される画像関連情報ファイルを画像収集システム３２００へ送信する。送信タイミングとしては、画像取得部１１０における一連の画像取得処理が終了した段階で送信する構成とすると良い。
【０１０４】
なお、画像関連情報ファイルには、画像取得部１１０における一連の画像取得処理で取得された複数の画像に関する取得画像関連情報と、画像消去部２１２０で消去される画像に関する消去画像関連情報が記録されている。従って、画像関連情報ファイル送信部３１２０は、取得画像関連情報送信部１５０及び消去画像関連情報送信部２３２０の一形態となる。
【０１０５】
画像収集システム３２００は、範囲指定情報受信部２３０と、指定範囲内画像抽出部２４０と、抽出画像関連情報送信部２５０と、収集対象画像指定情報受信部２６０と、収集対象画像送信要求情報送信部２７０と、収集対象画像受信部２８０と、収集対象画像記憶部２９０と、ユーザ登録部２２１０と、フラグ更新部２２４０と、収集対象画像確認情報受信部２２５０と、収集対象画像存在判定部２２６０と、画像関連情報ファイル受信部３２１０と、画像関連情報更新部３２２０とを具備する。
【０１０６】
画像関連情報ファイル受信部３２１０は、画像取得装置３１００で取得される複数の画像に関する取得画像関連情報と画像取得装置３１００で消去された画像に関する消去画像関連情報が記録されている画像関連情報ファイルを受信する。画像関連情報ファイルには、画像取得装置３１００で取得された複数の画像に関する取得画像関連情報と、消去された画像に関する消去画像関連情報が記録されている。従って、画像関連情報ファイル受信部３２１０は、取得画像関連情報受信部２１０及び消去画像関連情報受信部２２２０の一形態となる。
【０１０７】
画像関連情報更新部３２２０は、画像関連情報ファイル受信部３２１０で受信された画像関連情報ファイルに記録されている各画像の取得画像関連情報をデータベースに記録し、消去画像関連情報に係る画像の取得画像関連情報をデータベースから削除することでデータベースを更新する。例えば、画像関連情報更新部３２２０は、画像関連情報ファイルに記録されている各画像の取得・消去フラグを参照し、フラグが１である画像について取得画像関連情報をデータベースにエントリし、フラグが０である画像の画像識別情報で識別される画像の取得画像関連情報をデータベースから削除する。
【０１０８】
図１２は、画像取得装置３１００における画像取得処理の流れを示すフローチャート図である。所定のユーザインタフェースを通じてユーザより画像取得開始操作が行われた場合（S301でYes）、画像関連情報ファイル生成部３１１０は、当該一連の画像取得処理に係る画像関連情報ファイルを生成する処理を行う（S302）。
【０１０９】
次に、画像消去部２１２０は、記憶媒体における当該画像取得用の空き容量が所定の基準を満たしているかを判定する処理を行う（S303）。S303の判定の結果、記憶媒体の空き容量が十分でない場合は画像消去部２１２０は、記憶媒体に記憶されている画像の中から所定の基準に基づいて消去優先度の高い画像を選択して消去する処理を行う（S304）。ここでは、画像取得部１１０で過去に取得されて画像記憶部１４０によって記憶媒体に記憶されている画像のうち画像取得日時が最も古い画像が消去優先度の高い画像であるとする。画像関連情報ファイル生成部３１１０は、S304で消去された画像に関する消去画像関連情報を画像関連情報ファイルに書き込む処理を行い（S305）、S303の判定処理に戻る。ここでは、消去画像関連情報は、消去される画像を識別する画像識別情報であるとする。当該処理が繰り返されることで新たに画像を取得して記憶するための空き容量が確保される。
【０１１０】
S303の判定の結果、記憶媒体の空き容量が所定の基準値を超えた場合、画像取得部１１０は、画像を取得する処理を行う（S101）。続いて、位置情報取得部１２０は、当該取得される画像の取得位置を示す画像取得位置情報を取得する処理を行う（S102）。次に、日時情報取得部１３０は、当該取得される画像の取得日時を示す画像取得日時情報を取得する処理を行う（S103）。画像記憶部１４０は、S101で取得された画像をS102及びS103でそれぞれ取得された画像取得位置情報と画像取得日時情報と関連付けた状態で記憶媒体に記憶する処理を行う（S104）。続いて、画像関連情報ファイル生成部３１１０は、S101で取得された画像を識別する画像識別情報と、S102及びS103で取得された画像取得位置情報及び画像取得日時情報を取得画像関連情報として画像関連情報ファイルに書き込む処理を行う（S306）。
【０１１１】
この間に、ユーザインタフェースを通じて画像取得停止操作が行われた場合（S307でYes）、画像関連情報ファイル送信部３１２０は、一連の画像取得処理の間に随時取得画像関連情報と消去画像関連情報が書き込まれた画像関連情報ファイルを情報収集システム３２００へ送信する処理を行う（S308）。一方、画像取得停止操作が行われていない場合、S303に戻って一連の画像取得処理を継続する。
【０１１２】
以上のように、本実施形態３に係る画像集約システムでは、動画像の録画のようにユーザからの録画操作に基づいて一連の動画像を継続して取得する場合、録画停止操作が行われて録画が終了した段階で、当該一連の動画像に含まれる画像の取得位置及び取得日時を書き込んだ画像関連情報ファイルを画像収集システムへ送信する。当該構成とすることで、画像収集システム側でユーザの移動をリアルタイムに継続して追跡することが出来なくなるため、ユーザのプライバシーを高い水準で保つことが出来る。
【０１１３】
ただし、自身の位置情報がリアルタイムで画像収集システム３２００側で把握できることを気にしないユーザや緊急の場合などは、画像が取得されて画像符号化データが記憶媒体に記憶される毎に取得画像関連情報を画像収集システム３２００側に送信する構成としても良い。
【０１１４】
（実施形態４）
画像取得装置は一般のユーザの所有物であるため、画像取得装置がアクティブになるかどうかはユーザが当該画像取得装置を使用しているかどうかに依存することになる。したがって、画像取得装置内に収集対象となる画像が存在していても、次にユーザが画像取得装置をアクティブ状態にするまでは画像取得装置から画像収集システム側へ収集対象の画像を回収することが出来なくなる。ユーザによっては頻繁にアクティブ状態になるユーザから低い頻度でアクティブ状態になるユーザまでまちまちであるため、クライアント側でいつぐらいに画像が収集されて利用可能になるかの目安が立たず、利便性が低下するという問題が生じていた。本実施形態４に係る画像集約システムでは、クライアント側からみた利便性を高めることを特徴としている。
【０１１５】
図１３は、本実施形態４に係る画像集約システムの構成を示すブロック図である。本実施形態４に係る画像集約システムにおいて、画像取得装置４１００は、画像取得部１１０と、位置情報取得部１２０と、日時情報取得部１３０と、画像記憶部１４０と、収集対象画像送信要求情報受信部１６０と、収集対象画像抽出部１７０と、収集対象画像送信部１８０と、ユーザ登録部２１１０と、画像消去部２１２０と、画像関連情報ファイル生成部３１１０と、画像関連情報ファイル送信部３１２０と、アクティブ状態通知部４１１０を具備する。
【０１１６】
また、画像収集システム４２００は、範囲指定情報受信部２３０と、指定範囲内画像抽出部２４０と、抽出画像関連情報送信部２５０と、収集対象画像指定情報受信部２６０と、収集対象画像送信要求情報送信部２７０と、収集対象画像受信部２８０と、収集対象画像記憶部２９０と、ユーザ登録部２２１０と、画像関連情報ファイル受信部３２１０と、画像関連情報更新部３２２０と、アクティブ状態更新部４２１０と、アクティブ頻度情報更新部４２２０と、収集対象画像選択用ファイル送信要求情報受信部４２３０と、収集対象画像選択用ファイル送信部４２４０と、を具備する。
【０１１７】
アクティブ状態通知部４１１０は、画像取得装置４１００がアクティブ状態になった場合に、画像収集システム４２００にアクティブ状態になったことを通知する。同様、アクティブ状態通知部４１１０は、非アクティブ状態になったことを画像収集システム４２００に通知する。本明細書では、当該通知される情報をアクティブ状態通知情報と称する。
【０１１８】
アクティブ状態とは、画像取得装置４１００と画像収集システム４２００が通信可能な状態であり、したがって画像収集システム４２００が画像取得装置４１００より収集対象画像を収集可能な状態であることを示している。ユーザが画像取得装置４１００の電源を入れた場合や、当該発明に係るアプリケーションを選択して起動させた場合にアクティブ状態になる。また。ユーザが画像取得装置４１００の電源を切った場合や当該発明に係るアプリケーションをシャットダウンした場合などに非アクティブ状態になる。その他、画像取得装置４１００のOS（Operating Software）によって当該アプリケーションがキルされた場合などにも非アクティブ状態になることがある。
【０１１９】
アクティブ状態更新部４２１０は、各ユーザの画像取得装置４１００のアクティブ状態を更新する。例えば、画像取得装置４１００はアクティブ状態通知部４１１０よりアクティブ状態または非アクティブ状態になったことを通知された場合、当該ユーザ又は当該ユーザの画像取得装置４１００に関するアクティブ状態に関する情報を更新する。
【０１２０】
図１４は、本実施形態４に係るユーザ登録部２２１０が登録するユーザ情報に関するデータベースであるユーザ情報データベースの一例である。ユーザ情報データベースには、ユーザID及びユーザPassの他にアクティブフラグとアクティブ頻度情報のフィールドが設けられている。アクティブ状態更新部４２１０は、各ユーザの画像取得装置４１００より通知されるアクティブ状態通知情報に応じて当該データベースのアクティブフラグを更新することで、各ユーザの画像取得装置４１００がアクティブ状態であるかどうかを把握しておく。
【０１２１】
アクティブ頻度情報更新部４２２０は、各ユーザの画像取得装置４１００がアクティブになる頻度を示すアクティブ頻度情報を更新する。例えば、毎日アクティブになるユーザの画像取得装置はアクティブ頻度が高いとしてアクティブ頻度情報を“３”に設定し、週に１，２回アクティブになるユーザはアクティブ頻度情報を“２”に設定し、月に１回程度アクティブになるユーザはアクティブ頻度情報を“１”に設定する。
【０１２２】
収集対象画像選択用ファイル送信要求情報受信部４２３０は、収集対象画像を選択するための画面をwebブラウザで表示するためのhtmlファイルである収集対象画像選択用ファイルの送信を要求する収集対象画像選択用ファイル送信要求情報をクライアントのwebブラウザより受信する。
【０１２３】
収集対象画像選択用ファイル送信部４２４０は、受信された収集対象画像選択用ファイル送信要求情報に基づいて収集対象画像選択用ファイルを送信元のWebブラウザに送信する。収集対象画像選択用ファイルでは、画像を抽出するための範囲指定情報となる日時情報や位置情報をユーザより入力出来るように構成されている。また、抽出された各画像について後述する利用可能レベルが判別可能な状態で提示されるよう構成されている。
【０１２４】
抽出画像関連情報送信部２５０は、範囲指定情報受信部２３０で受信された範囲指定情報に基づいて指定範囲内画像抽出部２４０で抽出された画像について、当該抽出された画像を識別する画像識別情報の他に当該画像の利用可能レベルに関する情報を抽出画像関連情報としてクライアントのWebブラウザに送信する。
【０１２５】
図１５は抽出される各画像の利用可能レベルと、その画像の状態との関係性を示した対応表である。当該画像が既に画像収集システム４２００に収集済みである場合、クライアントは直ぐに利用可能であるため画像利用可能レベルを“５”とする。一方、収集前の段階であり画像は画像取得装置４１００に記憶されているものの、当該画像取得装置４１００がアクティブ状態である場合、収集対象画像送信要求情報を当該画像取得装置４１００に送信して収集対象画像を収集することが可能な状態であるため画像利用可能レベルを“４”とする。一方、当該画像が記憶されている画像取得装置４１００が非アクティブ状態である場合であっても、当該画像取得装置４１００がアクティブになる頻度が高ければ、比較的早い時期に画像を回収してクライアントへ提供することが可能となる。したがって、アクティブ頻度情報更新部４２２０が更新するアクティブ頻度情報に基づいて画像利用可能レベルが設定される。
【０１２６】
図１６は、抽出画像関連情報の一例を示している。抽出画像関連情報としては、抽出された画像の画像管理番号と、当該画像の取得位置を示す画像取得位置情報と、取得日時を示す画像取得日時情報に加えて、当該画像の利用可能レベルが含まれる。図１６の例では、画像抽出部２４０において８個の画像が抽出され、そのうち最初の３つの画像については、未回収かつ当該画像が記憶されている画像取得装置４１００が非アクティブ状態でありアクティブ頻度が「中」であることを示している。一方、４番目の画像は既に画像収集システム４２００に回収されて収集対象画像記憶部２９０によって記憶媒体に記憶されているため直ぐに利用可能であることを示している。また、５〜８番目の画像は未回収ながら画像取得装置４１００がアクティブ状態であるため、収集対象画像として指定した場合、収集対象画像送信要求情報を当該画像取得装置４１００に送信することで比較的早い段階で画像が収集されて利用可能になることを示している。クライアントのWebブラウザでこれらの情報が表示されることでクライアントは抽出された画像を実際に収集対象として指定するかの意思決定が容易になる。
【０１２７】
以上説明したように本実施形態４に係る画像集約システムでは、画像取得装置がアクティブ状態であるかどうかやアクティブ頻度に基づいて、抽出された画像の利用可能性をクライアントに対して提示する。本発明では画像収集システムと各画像取得装置は所有者が異なるため画像収集システムから各画像取得装置を完全に制御することが出来ない。このことは、画像集約システム内には画像が記憶されていても直ちに利用可能な状態であるかは、各画像取得装置のアクティブ状態に依存することになる。したがって、当該情報をクライアントに提示することでクライアント側の選択の自由度を高めることができ、利便性が向上する。
【０１２８】
なお、上記説明では画像利用可能レベルという形でクライアントに提示する場合について説明したがこれに限定するものではない。画像が利用可能になる時期、確率などに関する情報を提示する構成としても良い。
【０１２９】
範囲指定情報に基づいて抽出された画像に関して利用可能になる時期を提示する場合、画像収集システム４２００は、これまで受信されたアクティブ状態通知情報に基づいて、当該ユーザの画像取得装置４１００に関して画像が利用可能になる時期を推定する画像利用可能時期推定処理部を備えていることが好ましい。画像利用可能時期推定処理部は、これまでの当該画像取得装置４１００がアクティブ状態になるタイミングについての統計処理を行うことにより画像利用可能時期を推定する。また、範囲指定情報に基づいて抽出された画像が指定された日時（期日）までに利用可能になる確率を提示する場合、画像収集システム４２００は、これまで受信されたアクティブ状態通知情報に基づいて、当該ユーザの画像取得装置４１００に関して画像が指定された日時（期日）までに利用可能になる確率を算出する画像利用可能確率算出処理部を備えていることが好ましい。画像利用可能確率算出処理部は、これまでの当該画像取得装置４１００がアクティブ状態になるタイミングについての統計処理を行うことにより画像利用可能確率を算出する。
【０１３０】
抽出画像関連情報送信部２５０は、指定範囲内画像抽出部２４０で抽出された画像が利用可能になる時期、確率、レベルのいずれかに関する情報を含む抽出画像関連情報を範囲指定情報の送信元クライアントへ送信する。このように構成することで、クライアントは実際にどの画像を購入するかの判断を行いやすくなるためクライアントの利便性が向上し、結果的に画像取引が促進される。
【０１３１】
また、抽出画像関連情報送信部２５０は、指定範囲内画像抽出部２４０で抽出された画像が画像収集システム４２００側に記憶されている状態であるか画像取得装置４１００側に記憶されている状態であるかに関する情報を含む抽出画像関連情報を送信する構成としても良い。当該情報があればクライアントは画像が直ぐに利用可能な状態にあるか、画像が実際に記憶されている画像取得装置４１００に画像収集システム４１００経由でアクセスして収集対象となる画像を一旦画像収集システム４１００に送信する必要があり、ただちに利用可能な状態にないかを判別することができるからである。
【０１３２】
このように、抽出画像関連情報送信部２５０は、指定範囲内画像抽出部２４０で抽出された画像が利用可能になる時期、確率、レベルのいずれかに関する情報又は抽出された画像が画像収集システム４２００側に記憶されている状態であるか画像取得装置４１００側に記憶されている状態であるかに関する情報を含む抽出画像関連情報を送信する構成とするとクライアント側の利便性を更に向上させることが出来るため更に良好である。
【０１３３】
（実施形態５）
上記実施形態では画像取得装置が移動型画像取得装置である場合について説明した。しかし、画像収集システムが収集する画像としては移動型画像取得装置だけではなく固定型画像取得装置からも画像を回収出来る構成とすることが好ましい。本実施形態５の係る画像収集システムでは、移動型と固定型の両方の画像取得装置から画像を収集して提示できることでクライアントの利便性を高めることを目的としている。
【０１３４】
図１７は、本実施形態５に係る画像集約システムの構成を示すブロック図である。画像集約システムは、画像収集システム５２００と、複数の移動型画像取得装置１００と、複数の固定型画像取得装置５１００とを具備する。画像収集システム５２００と移動型画像取得装置１００及び固定型画像取得装置５１００はインターネット等のネットワーク１０で接続されている。
【０１３５】
固定型画像取得装置５１００は、移動型画像取得装置１００と比較して、位置情報取得部１２０が無い代わりに画像取得装置登録部５１１０を具備する。画像取得装置登録部５１１０は、自装置に関する情報である画像取得装置情報を画像収集システム５２００に登録する。
【０１３６】
画像取得装置情報としては、当該固定型画像取得装置５１００を識別する装置IDの他、当該固定型画像取得装置５１００が設置されている場所を示す設置位置情報が含まれる。また、当該固定型画像取得装置５１００の所有者であるユーザを識別するユーザIDが含まれていると更に良好である。
【０１３７】
画像収集システム５２００は、画像取得装置登録部５２１０を更に具備する。画像取得装置登録部５２１０は、画像集約システム内に存在する各画像取得装置に関する情報である画像取得装置情報をデータベースに登録する。
【０１３８】
図１８は、画像取得装置登録部５２１０がデータベースに登録する画像取得装置情報の一例を示している。画像取得装置情報としては、各画像取得装置の所有者であるユーザIDと、各画像取得装置の装置IDと、当該画像取得装置が移動型画像取得装置か固定型画像取得装置かを示す固定フラグと、当該画像取得装置が固定型である場合は設定場所を示す設置位置情報が関連付けられた状態で記憶されている。図１８において固定フラグが“１”の装置は、固定型画像取得装置であることを、“０”の装置は移動型画像取得装置であることを示している。
【０１３９】
取得画像関連情報記憶部２２０は、取得画像関連情報受信部２１０で受信される取得画像関連情報が固定型画像取得装置５１００から送信された情報である場合、当該取得画像関連情報の送信元の固定型画像取得装置５１００の設置位置情報をデータベースを参照して取得し、取得画像関連情報で示される各画像の画像取得位置情報としてデータベースに記憶していく。この場合、取得画像関連情報受信部２１０で受信される取得画像関連情報には、送信元画像取得装置を識別する装置IDやその所有者を識別するユーザIDが合わせて含まれていると良い。
【０１４０】
以上説明したように、本実施形態５に係る画像集約システムによれば、様々な種類の画像取得装置で取得される画像を収集することができるため、クライアントが利用可能な画像の総数が増加することになり、結果的にクライアントの利便性を向上させることが可能となる。また、本実施形態５のように一人のユーザが複数の画像取得装置を所有している場合、実施形態２で説明したユーザ登録部のようにユーザIDを登録することに加えて画像取得装置を識別する装置IDを登録する方が情報収集システムから各画像取得装置へ適切にアクセスできるため好ましいことになる。
【０１４１】
（実施形態６）
本発明の画像集約システムの構成では、画像収集システムの所有者は画像を収集するために各ユーザに画像取得装置の使用を依頼する形になる。しかしながら、画像取得装置の所有者であるユーザにとって本発明に係る画像取得装置で画像を取得するインセンティブが低ければ使用しないことになる。この時、周囲で他のユーザが画像取得装置で画像を取得しているかどうかによって自身が取得する画像がクライアントに利用される確率に影響を受ける。したがって、他のユーザの画像取得状況やユーザ数などを知ることが出来ないことによって、画像取得装置を使用するインセンティブが低下するという課題が存在していた。本実施形態６に係る画像集約システムは、ユーザ側の画像取得インセンティブを向上させることで結果的にクライアントの利便性を向上させる相乗効果を生み出すことを目的としている。
【０１４２】
図１９は、本実施形態６に係る画像集約システムの構成を示すブロック図である。画像取得装置６１００は、画像取得部１１０と、位置情報取得部１２０と、日時情報取得部１３０と、画像記憶部１４０と、取得画像関連情報送信部１５０と、収集対象画像送信要求情報受信部１６０と、収集対象画像抽出部１７０と、収集対象画像送信部１８０と、ユーザ登録部２１１０と、起動開始通知情報送信部６１１０と、画像取得開始位置情報送信部６１２０と、画像取得終了位置情報送信部６１３０と、周囲状況情報受信部６１４０と、周囲状況情報表示部６１５０と、を具備する。
【０１４３】
起動開始通知情報送信部６１１０は、画像取得装置６１００が起動された場合に、画像取得装置６１００が起動されたことを示す起動開始通知情報を情報収集システム６２００へ送信する。
【０１４４】
なお、画像取得装置６１００がスマートフォン等のデバイスであって、本発明にかかる所定のアプリケーションが実行されることで本発明の各機能が実現される場合、当該起動開始通知情報は当該アプリケーションが起動されたことを通知する情報となる。起動開始通知情報送信部６１１０は、本発明にかかる所定のアプリケーションが起動された場合に、当該アプリケーションが起動されたことを示す起動開始通知情報を情報収集システム６２００へ送信する。
【０１４５】
画像取得開始位置情報送信部６１２０は、ユーザインタフェースを介して画像取得開始操作が入力された場合に、位置情報取得部１２０で取得される現在位置を示す位置情報を画像取得開始位置情報として情報収集システム６２００へ送信する。
【０１４６】
また、画像取得終了位置情報送信部６１３０は、ユーザインタフェースを介して画像取得終了操作が入力された場合に、位置情報取得部１２０で取得される現在位置を示す位置情報を画像取得終了位置情報として情報収集システム６２００へ送信する。
【０１４７】
周囲状況情報受信部６１４０は、周囲の状況に関する情報である周囲状況情報を受信する。例えば、周囲状況情報受信部６１４０は、当該画像取得装置６１００のユーザの登録住所または登録郵便番号で示されるエリアで登録しているユーザの数を示す周辺登録ユーザ数情報を周囲状況情報として受信する。
【０１４８】
また例えば、周囲状況情報受信部６１４０は、ユーザが現在いるエリアで画像取得を行っているユーザ数を示す周辺画像取得ユーザ数情報を周囲状況情報として受信する。ユーザの現在位置は、例えば画像取得装置６１００を起動したタイミング（アプリケーションを起動したタイミング）では、前回の画像取得終了位置情報で示される位置を現在位置として推定すると良い。例えば当該画像取得装置６１００をドライブレコーダーとして使用する場合、前回の画像取得時において画像取得終了位置情報で示される位置と、今回の画像取得時において画像取得装置６１００を起動する位置は同じであることが期待できるためである。また、画像取得開始操作が入力された場合、画像取得開始位置情報送信部６１２０より送信される画像取得開始位置情報で示される位置を現在位置として用いると良い。
【０１４９】
周囲状況情報表示部６１５０は、周囲状況情報受信部６１４０で受信された周囲状況情報を画面に表示する。図２０は、画像取得装置６１００の正面図の一例である。図２０の例では画像取得装置６１００は所謂スマートフォンの形態を取り、正面にホームボタン６１０１と、タッチパネルディスプレイ６１０２が配置されている。タッチパネルディスプレイには周囲状況情報の他、画像取得処理の開始・終了を行うためのボタン６１５５が表示されている。また、装置背面には画像取得部１１０に相当するカメラが設置されている。
【０１５０】
図２０において、周囲状況情報表示部６１５０は、周囲状況情報としてユーザの登録住所又は登録郵便番号で示されるエリアで登録しているユーザ数を示す周辺登録ユーザ数情報を表示している。図２０では、周辺登録ユーザ数情報として、同一の町にいるユーザ数を第１の周辺登録ユーザ数情報６１５１として、同一の県にいるユーザ数を第２の周辺登録ユーザ数情報６１５２としてディスプレイに表示している。
【０１５１】
また、周囲状況情報表示部６１５０は、ユーザが現在いるエリアで画像取得を行っているユーザ数を示す周辺画像取得ユーザ数情報を周囲状況情報として表示する。図２０では、周囲画像取得ユーザ数情報として同一の町で現在画像取得を行っているユーザ数を第１の周辺画像取得ユーザ数情報６１５３として、同一の県で現在画像取得を行っているユーザ数を第２の周辺画像取得ユーザ数情報６１５４として表示する。
【０１５２】
画像収集システム６２００は、取得画像関連情報受信部２１０と、取得画像関連情報記憶部２２０と、範囲指定情報受信部２３０と、指定範囲内画像抽出部２４０と、抽出画像関連情報送信部２５０と、収集対象画像指定情報受信部２６０と、収集対象画像送信要求情報送信部２７０と、収集対象画像受信部２８０と、収集対象画像記憶部２９０と、ユーザ登録部２２１０と、起動開始通知情報受信部６２１０と、画像取得開始位置情報受信部６２２０と、画像取得終了位置情報受信部６２３０と、画像取得開始・終了位置情報記憶部６２４０と、周囲状況情報生成部６２５０と、周囲状況情報送信部６２６０と、を具備する。
【０１５３】
ユーザ登録部２２１０は、画像取得装置６１００の所有者であるユーザに関するユーザ情報を登録する。図２１は、当該ユーザ情報の一例を示している。図２１の例ではユーザ情報として、ユーザを識別するユーザIDや当該ユーザが所有する画像取得装置６１００を識別する装置IDのほか、当該ユーザの住所や当該ユーザの住所の郵便番号が登録されている。その他、ユーザ登録部２２１０は、ユーザの位置を示す位置情報を登録する構成としてもよい。ユーザ登録部２２１０は、ユーザの住所、郵便番号、位置情報のいずれかの情報をユーザ初期登録時に登録する処理を行う。
【０１５４】
起動開始通知情報受信部６２１０は、画像取得装置６１００が起動されたことを示す起動開始通知情報を受信する。画像取得装置６１００が複数のアプリケーションが実行可能な装置である場合、起動開始通知情報受信部６２１０は、本発明にかかる所定のアプリケーションが起動されたことを示す情報を起動開始通知情報として受信する。
【０１５５】
画像取得開始位置情報受信部６２２０は、画像取得装置６１００で画像取得処理が開始された位置を示す画像取得開始位置情報を受信する。例えば、画像取得開始位置情報受信部６２２０は、画像取得装置６１００で動画像の取得を開始する画像取得開始操作がユーザより入力された場合に送信される画像取得開始位置情報を受信する処理を行う。
【０１５６】
画像取得終了位置情報受信部６２３０は、画像取得装置６１００で画像取得処理が終了された位置を示す画像取得終了位置情報を受信する。
【０１５７】
画像取得開始・終了位置情報記憶部６２４０は、画像取得開始位置情報受信部６２２０で受信される画像取得開始位置情報や、画像取得終了位置情報受信部６２３０で受信される画像取得終了位置情報をデータベースとして記憶媒体に記憶する。図２２は、あるユーザにおける画像取得開始・終了位置情報を示している。
【０１５８】
周囲状況情報生成部６２５０は、起動開始通知情報受信部６２１０で起動開始通知情報が受信された場合に、当該起動開始通知情報にかかるユーザの周囲状況を示す周囲状況情報を生成する。例えば、周囲状況情報生成部６２５０は、当該起動開始通知情報にかかるユーザの登録住所又は登録郵便番号で示されるエリアで登録されているユーザ数を示す周辺登録ユーザ数情報を当該周囲状況情報として生成する。この場合、周囲状況情報生成部６２５０は、例えばユーザ登録部２２１０が登録しているユーザ情報を参照して当該受信された起動開始通知情報にかかるユーザの郵便番号を読み出し、当該郵便番号と同一の郵便番号で登録されている他のユーザを抽出し、当該抽出したユーザの総和を算出することで当該周辺登録ユーザ数情報を生成する。
【０１５９】
また、例えば周囲状況情報生成部６２５０は、受信された起動開始通知情報にかかるユーザが現在いるエリアで画像取得を行っているユーザ数を示す周辺画像取得ユーザ数情報を周囲状況情報として生成する。この場合、周囲状況情報生成部６２５０は、例えば画像取得開始・終了位置情報記憶部６２４０によって記憶されている当該受信された起動開始通知情報にかかるユーザの最後の画像取得終了位置情報を読み出し、当該読み出した画像取得終了位置情報で示される位置を含む所定の範囲内で現在画像取得処理を行っている他のユーザを抽出し、当該当該抽出したユーザの総和を算出することで当該周辺画像取得ユーザ数情報を生成する。
【０１６０】
周囲状況情報送信部６２６０は、周囲状況情報生成部６２５０で生成された周囲状況情報を起動開始通知情報が受信されたユーザの画像取得装置６１００へ送信する。
【０１６１】
以上のように、本実施形態６にかかる画像集約システムでは、画像取得装置６１００が起動された際にユーザに対して周囲の画像取得状況に関する情報を画像収集システム６２００から当該画像取得装置６１００へ送信して表示する構成をとる。当該構成とすることで、ユーザは画像取得処理を行うかどうかを当該周囲状況情報を参照して決めることができるためユーザに対するインセンティブを高めることができる。
【０１６２】
なお、上記説明では画像取得装置のユーザに対して、周囲状況情報を提供することで画像取得インセンティブを高めることについて説明したが、本実施形態６にかかる画像収集システムは、クライアントのインセンティブを高めるために周囲状況情報を利用しても良い。
【０１６３】
クライアントは、指定した範囲内で取得された画像の中から収集対象画像を指定して画像を入手する。この時、最初に指定する範囲内にどの程度の画像が存在しているかは、実際に範囲指定情報を送信しなければ手がかりが得られないことになる。ここで、範囲指定情報で指定される範囲内に画像があるかどうかはその時にその範囲内でどれだけのユーザが実際に画像取得処理を行っていたかに依存することになる。ここで、そもそもその地域にユーザがいない場合は、どれだけ範囲指定情報で範囲指定を行っても十分な数の画像が集まる可能性は非常に低いことになる。クライアントからしてみれば、範囲指定情報で範囲指定を行う前に、そのエリアにどの程度のユーザが登録されているかを把握しておくことができれば不要な範囲指定を行わなくても済むため好ましい。
【０１６４】
以上の点を鑑み、本実施形態６にかかる画像収集システム６２００は、図２３のように構成されていても良い。図２３において画像収集システム６２００は、ユーザ数検索情報受信部６２７０と、ユーザ数情報生成部６２８０と、ユーザ数情報送信部６２９０と、を具備する。
【０１６５】
ユーザ登録部２２１０は、画像取得装置の所有者であるユーザの住所または郵便番号をユーザ情報としてデータベースに登録する。また、ユーザ登録部２２１０は、登録されているユーザについてアクティブ頻度情報を登録する構成とするとさらに良好である。
【０１６６】
ユーザ数検索情報受信部６２７０は、指定された住所、郵便番号、位置情報のいずれかで示される位置範囲に登録されているユーザの数を検索するユーザ数検索情報をクライアントのWebブラウザ等より受信する。
【０１６７】
ユーザ数情報生成部６２８０は、ユーザ数検索情報受信部６２７０で受信されたユーザ数検索情報で指定される住所、郵便番号、位置情報のいずれかの位置範囲で登録されているユーザ数をユーザ登録部２２１０が登録するユーザ情報のデータベースを参照して検索し、当該検索結果であるユーザ数情報を生成する。なお、ユーザ数情報生成部６２８０は、ユーザ数検索情報受信部６２７０で受信されたユーザ数検索情報で指定される住所、郵便番号、位置情報のいずれかの位置範囲で登録されているアクティブ状態になる頻度が所定の基準を満たすユーザ数を第２ユーザ数情報として生成する構成とするとさらに良好である。
【０１６８】
ユーザ数情報送信部６２９０は、ユーザ数情報生成部６２８０で生成されたユーザ数情報をユーザ数検索情報の送信元のクライアントのWebブラウザへ送信する。
【０１６９】
当該構成とすることで、クライアントは範囲指定情報を送信することで当該範囲指定情報で指定する範囲内に存在している画像を抽出する前に、郵便番号や住所といった情報を手掛かりにどの程度のユーザがそのエリアに登録されているかを把握することができる。したがって、当該ユーザ数情報を参照して、そのエリアで画像を収集することが効率的かどうかを判断することが可能となる。
【０１７０】
なお、ユーザ登録部２２１０は、ユーザ情報として画像取得装置６１００の所有者であるユーザの位置情報をデータベースに登録する構成としても良い。ここでいう位置情報とは例えはGPS座標データで表される位置情報である。このように、ユーザ登録部２２１０は、ユーザまたは画像取得装置６１００が設置されている住所、郵便番号、位置情報のいずれかの情報を登録する。ユーザ数検索情報受信部６２７０は、所定の住所、郵便番号、位置情報のいずれかで示される位置範囲で登録されているユーザ数を検索するためのユーザ数検索情報を受信する。ユーザ数情報生成部６２８０は、ユーザ数検索情報受信部６２７０で受信されたユーザ数検索情報に含まれる住所情報、郵便番号情報、位置座標情報、エリア情報のいずれかで示される位置範囲で登録されているユーザのユーザ数を示すユーザ数情報を生成する。ユーザ数情報送信部６２９０は、ユーザ数情報生成部６２８０で生成されたユーザ数情報を送信する。このように構成されていても良い。
【０１７１】
また、ユーザ数検索情報受信部６２７０は、所定の住所、郵便番号、位置情報のいずれかで示される位置範囲で登録されているアクティブユーザ数を検索するためのアクティブユーザ数検索情報を受信する構成としても良い。ユーザ数情報生成部６２８０は、ユーザ数検索情報受信部６２７０で受信されたアクティブユーザ数検索情報に含まれる住所情報、郵便番号情報、位置座標情報、エリア情報のいずれかで示される位置範囲で登録されているアクティブユーザのユーザ数を示すアクティブユーザ数情報を生成する。ユーザ数情報送信部６２９０は、ユーザ数情報生成部６２８０で生成されたアクティブユーザ数情報を送信する。このように構成されていても良い。なお、この場合、ユーザ登録部２２１０は、起動開始通知情報受信部６２１０で受信される起動開始通知情報に基づいて、各ユーザのアクティブ状態を示すフラグを管理することで各ユーザがアクティブ状態であるかどうかを記憶・更新すると良い。ユーザ数情報生成部６２８０は、ユーザ登録部２２１０によって登録されているユーザの中から、ユーザ数検索情報受信部６２７０で受信されたアクティブユーザ数検索情報に含まれる住所情報、郵便番号情報、位置座標情報、エリア情報のいずれかで示される位置範囲で登録されているユーザであって現在の状態がアクティブ状態であるアクティブユーザのユーザ数を示すアクティブユーザ数情報を生成する。
【０１７２】
また、ユーザ数検索情報受信部６２７０は、所定の住所、郵便番号、位置情報のいずれかで示される位置範囲で現在画像取得処理を行っているユーザ又は画像取得装置６１００の数を検索するための画像取得中ユーザ数検索情報又は画像取得中装置情報を受信する構成としても良い。ユーザ数情報生成部６２８０は、ユーザ数検索情報受信部６２７０で受信された画像取得中ユーザ数検索情報又は画像取得中装置情報に含まれる住所情報、郵便番号情報、位置座標情報、エリア情報のいずれかで示される位置範囲で登録されている画像取得中ユーザのユーザ数又は画像取得中装置の装置数を示す情報を生成する。ユーザ数情報送信部６２９０は、ユーザ数情報生成部６２８０で生成された情報を送信する。このように構成されていても良い。なお、この場合、ユーザ登録部２２１０は、画像取得開始位置情報送信部６１２０より送信される画像取得開始位置情報やその後適宜取得画像関連情報送信部１５０より送信されてくる取得画像関連情報に含まれる画像取得位置情報に基づいて、各ユーザ又は画像取得装置の位置を決定すると良い。ユーザ数情報生成部６２８０は、ユーザ登録部２２１０によって登録されているユーザ又は画像取得装置６１００の中から、ユーザ数検索情報受信部６２７０で受信された画像取得中ユーザ数検索情報又は画像取得中装置情報に含まれる住所情報、郵便番号情報、位置座標情報、エリア情報のいずれかで示される位置範囲で現在画像を取得しているユーザ又は画像取得装置の数を示す情報を生成する。このように構成することで、リアルタイムに画像を収集したい場合にどの程度のユーザ又は画像取得装置６１００が対象となるエリアで画像を取得しているかの目安をクライアントは把握することが可能となる。
【０１７３】
このように、本実施形態６に係る画像収集システムは６２００は、ユーザまたは前記画像取得装置が設置されている住所、郵便番号、位置情報のいずれかの情報を登録するユーザ登録部２２１０と、所定の住所、郵便番号、位置情報のいずれかで示される位置範囲で登録されているユーザ数を検索するためのユーザ数検索情報を受信するユーザ数検索情報受信部６２７０と、当該受信されたユーザ数検索情報に含まれる住所情報、郵便番号情報、位置座標情報、エリア情報のいずれかで示される位置範囲で登録されているユーザのユーザ数を示すユーザ数情報を生成するユーザ数情報生成部６２８０と、当該生成されたユーザ数情報を送信するユーザ数情報送信部６２９０と、を具備する構成とするとクライアントの利便性を向上させることができるため更に良好である。
【０１７４】
（実施形態７）
本発明の画像集約システムでは画像取得装置の所有者であるユーザが当該画像取得装置で取得される画像の所有権者であるため、当該画像を画像収集システムを介してクライアントに提供するかどうかの決定権を有することになる。ここで、ユーザの中には特定のクライアントに関してのみ画像を提供したいという場合が考えられる。また、ユーザの中には画像を提供する際の条件を設定したいという場合が考えられる。本実施形態７にかかる画像集約システムは、ユーザがクライアントを選別して画像提供を行えることを目的としている。
【０１７５】
図２４は本実施形態７にかかる画像集約システムの構成を示すブロック図である。実施形態７にかかる画像集約システムにおいて画像収集装置７１００は、画像取得部１１０と、位置情報取得部１２０と、日時情報取得部１３０と、画像記憶部１４０と、収集対象画像送信要求情報受信部１６０と、収集対象画像抽出部１７０と、収集対象画像送信部１８０と、ユーザ登録部２１１０と、画像消去部２１２０と、画像関連情報ファイル生成部３１１０と、画像関連情報ファイル送信部３１２０と、画像提供条件登録部７１１０と、収集対象画像関連情報表示部７１２０を更に具備することを特徴としている。
【０１７６】
画像提供条件登録部７１１０は、画像取得部１１０が取得された後、取得画像関連情報は画像収集システム７２００のデータベースに登録されている一方、画像ファイル自体は自装置７１００の記憶媒体に記憶されている画像について、当該画像を画像収集システム７２００を介してクライアントに提供するための条件である画像提供条件を画像収集システム７２００に登録する。画像提供条件としては、画像提供を許可するクライアントを識別する情報や、当該画像提供を許可するクライアントのグループを示す情報や、提供する（ライセンスする）クライアントの数の条件や、ライセンス料などがある。
【０１７７】
画像取得部１１０で取得されて画像記憶部１３０によって記憶媒体に記憶されている画像の所有権や著作権は画像取得装置７１００の所有者であるユーザに帰属する。クライアントから指定されている収集対象画像を画像取得装置７１００から収集してクライアントへ提供するためには、画像収集システム７２００の所有者は、画像取得装置７１００の所有者であるユーザから当該画像の画像ファイルに加えて当該画像の所有権を譲渡してもらうか、著作権の譲渡またはライセンスを許諾してもらわなければならない。画像取得装置７１００の所有者であるユーザは、交渉上有利な立場にあるため、当該権利及び画像ファイル（画像符号化データ）を画像収集システム７２００の所有者へ譲り渡す際に条件をつけることができることが好ましいことになる。
【０１７８】
そこで、画像取得装置７１００の所有者であるユーザは、GUI等を介して画像提供条件を入力し、画像提供条件登録部７１１０は、当該ユーザより入力される画像をクライアントに提供するための条件である画像提供条件を設定し、画像収集システム７２００に登録する。
【０１７９】
収集対象画像関連情報表示部７１２０は、収集対象画像送信要求情報受信部１６０で受信された収集対象画像送信要求情報に基づいて収集対象画像送信部１８０より送信された画像に関する情報である収集対象画像関連情報をディスプレイに表示する。
【０１８０】
図２５は、当該収集対象画像関連情報の一例を示している。ディスプレイに表示される収集対象画像関連情報としては、要求元のクライアントに関する情報の他、画像収集システムへ送信された画像を識別する画像識別情報や、当該画像の取得位置情報及び取得日時情報などが含まれる。
【０１８１】
画像収集システム７２００は、ユーザ登録部２２１０と、画像関連情報ファイル受信部３２１０と、画像関連情報更新部３２２０と、範囲指定情報受信部２３０と、画像抽出部２４０と、抽出画像関連情報送信部２５０と、収集対象画像指定情報受信部２６０と、収集対象画像送信要求情報送信部２７０と、収集対象画像受信部２８０と、収集対象画像記憶部２９０と、画像提供条件登録部７２１０と、クライアント登録部７２２０と、を具備する。
【０１８２】
画像提供条件登録部７２１０は、画像を提供する条件である画像提供条件の設定及びデータベースへの登録を行う。図２６は、当該登録される画像提供条件の一例である。図２６の例では、画像を提供可能なクライアントの属性を示すクライアントグループ情報や、画像提供可能なクライアントを識別するクライアントID、最大ライセンス数、ライセンス料などが画像提供条件として設定・登録されている。画像提供条件登録部７２１０は、各画像取得装置７１００の所有者であるユーザについて、当該画像提供条件の設定・登録を行う。なお、当該画像提供条件は、ユーザ情報の一種としてユーザ登録部２３０が設定及び登録を行う構成としても良い。
【０１８３】
クライアント登録部７２２０は、クライアントに関する情報であるクライアント情報を登録する。図２７はクライアント情報の一例を示している。図２７の例ではクライアント情報としてクライアントを識別するクライアントIDやクライアントの属性を示すクライアントグループ情報が関連付けられた状態で登録されている。
【０１８４】
指定範囲内画像抽出部２４０は、範囲指定情報受信部２３０で受信された範囲指定情報で示される範囲で取得された画像のうち、画像提供条件を満たす画像を抽出する。したがって、例えば範囲指定情報受信部２３０で受信された範囲指定情報で指定される位置範囲かつ時間帯で取得された画像であっても、画像提供条件を満たさない画像は抽出されず、したがって抽出画像関連情報に当該画像に関する情報は含まれないことになる。なお、画像提供条件がユーザ単位で設定・登録される場合は、範囲指定情報で指定される範囲内で取得された画像の所有権者すなわちユーザについての画像提供条件を参照し、当該画像提供条件を満たしているかを判定した上で、クライアントに抽出画像関連情報として提示する画像を抽出する。
【０１８５】
例えば、本実施形態７において範囲指定情報受信部２３０が受信する範囲指定情報や収集対象画像指定情報受信部２６０が受信する収集対象画像指定情報には、これらの情報の送信元であるクライアントを識別するクライアント識別情報が含まれているものとする。画像抽出部２４０は、範囲指定情報の送信元クライアントを提供可能なクライアントとして登録しているユーザによって取得された画像の中から当該範囲指定情報で指定される範囲で取得された画像を抽出する。したがって、例え範囲指定情報で指定された範囲内で取得された画像であっても、当該画像を取得したユーザが画像提供条件として設定するクライアントに関しての条件を当該範囲指定情報の送信元クライアントが満たしていない場合は当該ユーザの画像は抽出されない。
【０１８６】
収集対象画像送信要求情報送信部２７０は、収集対象画像として送信を要求する要求元クライアントに関する情報を含めて収集対象画像送信要求情報を画像取得装置７１００へ送信する。
【０１８７】
図２８は、本実施形態７にかかる画像集約システムの処理の流れを示すシーケンス図である。ユーザは、GUI等を介して画像提供条件を入力する操作を行い（S7101）、画像提供条件登録部７１１０は、当該入力された内容を画像提供条件情報として画像収集システム７２００に送信する処理を行う（S7102）。画像収集システム７２００において、画像提供条件登録部７２１０は、画像を提供する条件を示す当該画像提供条件情報を受信する処理を行い（S7201）、画像提供条件用のデータベースに当該画像提供条件情報で示される画像提供条件を登録する処理を行う（S7202）。なお、画像提供条件は、画像のライセンスを許諾する条件と見ることができるため、本明細書では画像ライセンス条件と称することがある。
【０１８８】
クライアントは、自らの氏名・名称や住所、グループ情報などのクライアント情報を入力する操作を行い（S7301）、当該クライアント情報を画像収集システム７２００へ送信する処理を行う（S7302）。画像収集システム７２００においてクライアント登録部７２２０は、クライアントに関する情報であるクライアント情報をクライアント用のデータベースに登録する処理を行う（S7204）。クライアント情報にはクライアントを識別するクライアント識別情報やクライアントのグループ（種別）を示すクライアントグループ情報が含まれる。
【０１８９】
範囲指定情報受信部２３０は、クライアントを識別するクライアント識別情報を含む範囲指定情報を受信する処理を行う（S203）。指定範囲内画像抽出部２４０は、S7204で登録されている画像提供条件を参照し、範囲指定情報で指定される範囲で取得された画像のうち、画像提供条件を満たす画像を抽出する処理を行う（S204）。例えば、画像抽出部２４０は、範囲指定情報で指定される範囲で取得された画像のうち、当該範囲指定情報の送信元クライアントについて画像提供可能とする画像提供条件が設定・登録されている画像を抽出する処理を行う。抽出画像関連情報送信部２５０は、当該画像提供条件を満たす当該抽出された画像に関する情報である抽出画像関連情報をクライアントへ返信する処理を行う（S205）。なお、抽出画像関連情報送信部２５０は、抽出した画像に設定・登録されている画像提供条件を抽出画像関連情報に含めてクライアントに返信する構成とするとさらに好ましい。
【０１９０】
以上のように本実施形態７によれば、各画像取得装置の所有者であるユーザは、自身が取得した画像の提供先とするクライアントをクライアントIDやクライアントグループ情報によって設定しておくことで、当該設定から外れたクライアントへ画像が提供されることを防止することができる。したがって画像取得装置の所有者であるユーザにとって利便性を向上させることができる。
【０１９１】
すなわち、本実施形態７に係る画像収集システム７２００は、ユーザまたは画像取得装置毎に画像提供条件として、画像提供可能なクライアントまたは画像提供可能なクライアントのグループを示す情報を登録する画像提出条件登録部７２１０と、クライアント情報を登録するクライアント登録部７２２０と、を更に具備し、これらの情報を画像収集システム７２００側に登録しておく。指定範囲内画像抽出部２４０は、範囲指定情報受信部２３０で受信された範囲指定情報で指定される範囲で取得された画像であって、当該範囲指定情報の送信元クライアントを画像提供可能なクライアントとして画像提供条件を登録しているユーザの画像取得装置で取得された画像を抽出する処理を行う。抽出画像関連情報送信部２６０は、範囲指定情報受信部２３０で受信された範囲指定情報で指定される範囲で取得された画像であって、当該範囲指定情報の送信元クライアントを画像提供可能なクライアントとして画像提供条件を登録しているユーザの画像取得装置で取得された画像に関する情報を抽出画像関連情報として範囲指定情報の送信元クライアントへ送信する処理を行う。当該構成とすることでユーザ側の利便性を向上させることが可能になる。
【０１９２】
（実施形態８）
本発明の画像集約システムは、所有者が異なる複数の画像取得装置で画像を取得し、当該取得された画像のメタ情報を先に画像収集システムが収集してデータベース化する一方、画像ファイル自体は各画像取得装置内に留めておく。その後、クライアントから要求された場合に、当該要求にかかる画像の画像ファイルを画像取得装置で複製し、複製した画像ファイルを予め画像収集システムの所有者と画像取得装置の所有者との間で定めた所有権や著作権の譲渡やライセンスを伴って画像収集システムへ送信させる構成をとる。当該構成とすることで低リスクで画像収集システムを構成することができる。その一方、画像収集システムの所有者は各画像取得装置を制御できないため、クライアントから画像が要求されていても画像取得装置がアクティブ状態にないため画像収集システム側へ画像が回収されず、従ってクライアント側へ画像を円滑に提供できないという事態が発生することが予想される。本実施形態８はこのような状態が発生してクライアントの利便性が低下することを軽減することを目的としている。
【０１９３】
図２９は、本実施形態８にかかる画像集約システムの構成を示すブロック図である。本実施形態８において画像取得装置８１００は、画像取得部１１０と、位置情報取得部１２０と、日時情報取得部１３０と、画像記憶部１４０と、収集対象画像送信要求情報受信部１６０と、収集対象画像抽出部１７０と、収集対象画像送信部１８０と、ユーザ登録部２１１０と、画像消去部２１２０と、画像関連情報ファイル生成部３１１０と、画像関連情報ファイル送信部３１２０と、アクティブ状態通知部４１１０と、アクティブ化要求情報受信部８１１０と、アクティブ化要求情報表示部８１２０と、を具備する。
【０１９４】
ユーザ登録部２１１０は、ユーザ情報として画像取得装置８１００で受信可能なユーザのメールアドレスを登録する。
【０１９５】
アクティブ状態通知部４１１０は、画像取得装置８１００が起動されてアクティブ状態になったことを示すアクティブ状態通知情報を画像収集システム８２００へ送信する。その後も所定の時間間隔で画像取得装置８１００がアクティブであることを示す情報を画像収集システムへ通知する。なお、画像取得装置８１００が複数のアプリケーションがインストールされるスマートフォン等の形態をとる場合、本発明にかかるアプリケーションが起動された場合にアクティブ状態通知部４１１０はアクティブ状態通知情報を画像収集システム８２００に送信し、当該アプリケーションがシャットダウンされるまで所定の時間間隔でアクティブ状態であることを通知し続ける。
【０１９６】
アクティブ化要求情報受信部８１１０は、画像取得装置８１１０にアクティブ化を要求するアクティブ化要求情報を受信する。画像取得装置８１００が複数のアプリケーションがインストールされるスマートフォン等の形態をとる場合、アクティブ化要求情報受信部８１１０は、予め画像取得装置８１００にインストールされているメールアプリケーション等によってアクティブ化要求情報を受信する。
【０１９７】
アクティブ化要求情報表示部８１２０は、アクティブ化要求情報受信部８１１０で受信されたアクティブ化要求情報をディスプレイに表示する。図３０は、当該ディスプレイに表示されるアクティブ化要求情報の一例を示している。
【０１９８】
当該アクティブ化要求情報を見たユーザは本発明にかかる画像収集アプリケーションを起動してアクティブ状態へ操作することで、画像収集システム８２００から画像取得装置８１００に記憶されている画像へアクセスできるようになるため、画像を回収することができる。
【０１９９】
画像収集システム８２００は、ユーザ登録部２２１０と、画像関連情報ファイル受信部３２１０と、画像関連情報更新部３２２０と、アクティブ状態更新部４２１０と、範囲指定情報受信部２３０と、画像抽出部２４０と、抽出画像関連情報送信部２５０と、収集対象画像指定情報受信部２６０と、収集対象画像送信要求情報送信部２７０と、収集対象画像受信部２８０と、収集対象画像記憶部２９０と、アクティブ状態判定部８２１０と、アクティブ化要求情報送信部８２２０と、を具備する。
【０２００】
ユーザ登録部２２１０は、ユーザ情報として画像取得装置８１００で確認可能なメールアドレスを登録する。
【０２０１】
アクティブ状態判定部８２１０は、収集対象画像指定情報受信部２６０で収集対象画像指定情報が受信された場合、当該情報で指定される収集対象画像が記憶されている画像取得装置８１００がアクティブ状態であるかを判定する。ユーザ登録部２２１０が登録するユーザ情報にはアクティブ状態かどうかを示すフィールドが設けられており、アクティブ状態更新部４２１０が画像取得装置８１００より送信されてくるアクティブ状態通知情報に基づいてアクティブ状態を更新する。アクティブ状態判定部８２１０は当該アクティブ状態に関するフィールドを参照してアクティブ状態かを判定する。
【０２０２】
アクティブ化要求情報送信部８２２０は、収集対象画像が記憶されている画像取得装置８１００のユーザのメールアドレスにアクティブ化を要求するアクティブ化要求情報を送信する。
【０２０３】
以上のように本実施形態８にかかる画像集約システムではメールという別のチャネルで画像取得装置８１００またはそこにインストールされているアプリケーションのアクティブ化を要請することで画像を収集しやすくなる。
【０２０４】
（実施形態９）
本実施形態９にかかる画像集約システムは、画像取得装置がスマートフォンである場合について説明する。なお、ここでいうスマートフォンとはOS上でユーザが選択してダウンロードした複数のアプリケーションを実行可能な装置を示す。
【０２０５】
図３１は、本実施形態９にかかる画像集約システムの構成を示すブロック図である。本実施形態９にかかる画像集約システムは、所有者が異なる複数の画像取得装置９１００と画像収集システム９２００を含んで構成されるシステムである。画像収集システムは、所有者が異なる複数の画像取得装置で取得される画像の中から所定の条件を満たす画像を収集する。
【０２０６】
画像取得装置９１００は、ユーザ登録部２１１０と、画像取得部１１０と、位置情報取得部１２０と、日時情報取得部１３０と、画像記憶部１４０と、画像関連情報ファイル生成部３１１０と、画像関連情報ファイル送信部３１２０と、収集対象画像送信要求情報受信部１６０と、収集対象画像抽出部１７０と、収集対象画像送信部１８０と、を具備する。
【０２０７】
ユーザ登録部２１１０は、画像取得装置９１００の所有者であるユーザに関する各種情報を画像収集システム９２００へ登録する。画像取得装置９１００の所有者であるユーザは、画像収集システム９２００を利用してクライアントへ画像を提供しようとする人達である。ここでいう画像の提供は無償の提供のみならず有償で売買する場合も含む。本明細書ではユーザ登録部を所有者登録部または所有者情報登録部と称することがある。なお、当該ユーザ登録を行う際に、画像取得装置９１００で取得されて画像収集システムへ送信された画像の所有権または著作権を画像取得システムの所有者へ譲渡するかまたは自由に複製・公衆配布が可能なライセンスを許諾することを示す契約を合わせて行う構成とすると更に良好である。当該構成とすることで画像収集システムの所有者は、画像取得装置より収集した画像を自由にクライアントへ提供することが可能となる。
【０２０８】
画像取得部１１０は、ユーザからの動画撮影開始操作（画像取得開始操作）に基づいて動画撮影処理（動画像取得処理）を開始する。画像取得部１１０は、ユーザからの動画撮影終了操作（画像取得終了操作）が入力されるまで動画撮影処理を継続する。
【０２０９】
位置情報取得部１２０は、画像取得部１１０で取得される動画像の取得位置を示す画像取得位置情報を取得する。なお、取得される画像が動画像である場合は連続的に画像が取得されるため、位置情報取得部１２０は画像取得部１１０で動画像の取得が開始されてから終了されるまで所定の時間間隔で現在位置を示す位置情報を取得し、当該位置情報をその時点での動画像の取得位置として画像取得位置情報を取得する。
【０２１０】
日時情報取得部１３０は、画像取得部１１０で取得された画像の取得日時を示す画像取得日時情報を取得する。日時情報取得部１３０は、位置情報取得部１２０で画像取得位置情報が取得されるタイミングでの日時をその時点での動画像の画像取得日時であるとして画像取得日時を示す画像取得日時情報を取得する。
【０２１１】
画像記憶部１４０は、画像取得部１１０で取得される動画像を、当該画像が取得された位置を示す画像取得位置情報と、取得された日時を示す画像取得日時情報と関連付けた状態で記憶媒体に記憶する。具体的には、画像記憶部１４０は、画像取得部１１０で取得される動画像の画像符号化データを所定の時間間隔毎に切り出して画像ファイルとして当該画像ファイルに含まれる画像符号化データが取得された取得位置及び取得日時をそれぞれ示す画像取得位置情報及び画像取得日時情報と関連付けた状態で記憶媒体に記憶する。
【０２１２】
図３２は、画像取得部１１０で取得される動画像が１０秒単位で画像ファイルとして記憶媒体に記憶されている状態を示している。図３２においてPIT03203.mpegからPIT03209.mpegまでの動画ファイルは一連の動画撮影処理（画像取得処理）で取得された画像の動画像ファイルである。
【０２１３】
画像関連情報ファイル生成部３１１０は、画像取得部１１０における一連の画像取得処理によって継続的に取得され、画像記憶部１４０によって記憶媒体に記憶される各動画像ファイルに関するメタ情報を記録するためのファイルである画像関連情報ファイルを生成する。画像関連情報ファイルには、一連の画像取得処理において画像取得部１１０で継続的に取得されて記憶媒体に記憶される各動画像ファイルを識別する画像識別情報と各動画像ファイルに含まれる動画像符号化データの取得位置及び取得日時を示す画像取得位置情報及び画像取得日時情報が取得画像関連情報として順次記録されていく。
【０２１４】
画像関連情報ファイル送信部３１２０は、画像関連情報ファイル生成部３１１０で生成される画像関連情報ファイルを画像収集システム９２００へ送信する。送信タイミングとしては、画像取得部１１０における一連の画像取得処理が終了した段階で送信する構成とすると良い。例えば、ユーザより所定のユーザインタフェースを介して画像取得終了操作（動画像撮影終了操作）が入力された場合に、画像関連情報ファイル送信部３１２０は、当該操作で終了された画像取得処理（動画像撮影処理）に対して生成されて当該画像取得処理中の取得画像関連情報が記録されている画像関連情報ファイルを画像収集システム９２００へ追加のユーザからの操作入力を待つことなく自動的に送信する。このように、画像関連情報ファイル送信部３１２０が画像関連情報ファイルを送信することで、画像取得部１１０における一連の画像取得処理で取得される複数の画像についての取得画像関連情報を纏めて送信することができる。
【０２１５】
収集対象画像送信要求情報受信部１６０は、画像収集システム９２００より送信される収集対象画像送信要求情報を受信する。収集対象画像送信要求情報は、各画像取得装置９１００で取得されて記憶されている複数の動画像ファイルの中から、収集対象として指定されている動画像ファイルを画像収集システム９２００側に送信することを要求するための情報である。収集対象画像送信要求情報としては、収集対象とする動画像ファイルを識別する画像識別情報または収集対象とする画像取得範囲を指定する画像取得範囲指定情報が用いられる構成としても良い。
【０２１６】
収集対象画像抽出部１７０は、受信された収集対象画像送信要求情報に基づいて、画像記憶部１４０が記憶媒体に記憶している複数の動画像ファイルの中から収集対象として指定されている動画像ファイルを抽出する。収集対象画像送信要求情報が画像識別情報の形態をとる場合、当該画像識別情報で識別される動画像ファイルを抽出する。また、収集対象画像送信要求情報が画像取得範囲指定情報の形態をとる場合、当該画像取得範囲指定情報で指定される画像取得範囲内で取得された画像の動画像ファイルを抽出する。すなわち、収集対象画像抽出部１７０は、記憶媒体に記憶されている動画像ファイルのうち、関連付けられている画像取得位置情報と画像取得日時情報が画像取得範囲指定情報で指定される位置範囲及び時間帯に含まれる動画像ファイルを抽出する。
【０２１７】
収集対象画像送信部１８０は、収集対象画像抽出部１７０で抽出された収集対象となる動画像ファイルを画像収集システム２００に送信する。
【０２１８】
なお、収集対象になる画像とはクライアントから提供が要請されている画像と見ることもできるし、著作権の譲渡やライセンス締結が要請されている画像と見ることができる。したがって、本明細書では、収集対象画像を提供要請画像と称することがある。また、収集対象画像送信要求情報受信部１６０を提供要請画像送信要求情報受信部１６０と、収集対象画像抽出部１７０を提供要請画像抽出部１７０と、収集対象画像送信部１８０を提供要請画像送信部１８０とそれぞれ称することがある。提供要請画像送信要求情報受信部１６０は、クライアントから提供を要請されている画像の送信を要求する提供要請画像送信要求情報を画像収集システム９２００より受信する。提供要請画像抽出部１７０は、受信された提供要請画像送信要求情報で提供が要請されている画像の動画ファイルを記憶媒体より抽出する。提供要請画像送信部１８０は、提供要請画像送信要求情報で指定される画像を画像収集システム９２００へ送信する。すなわち提供要請画像送信部１８０は、提供要請画像抽出部１７０で抽出された動画像ファイルを画像収集システム９２００へ送信する。
【０２１９】
次に情報収集システム９２００について説明する。情報収集システム９２００は、所有者が異なる複数の画像取得装置で取得される画像の中から所定の条件を満たす画像を収集するシステムである。情報収集システム９２００は、ユーザ登録部２２１０と、画像関連情報ファイル受信部３２１０と、画像関連情報更新部３２２０と、範囲指定情報受信部２３０と、指定範囲内画像抽出部２４０と、抽出画像関連情報送信部２５０と、収集対象画像指定情報受信部２６０と、収集対象画像送信要求情報送信部２７０と、収集対象画像受信部２８０と、収集対象画像記憶部２９０と、要請元情報記憶部９２１０と、収集対象画像送信部９２２０と、を具備する。
【０２２０】
ユーザ登録部２２１０は、画像取得装置９１００の所有者に関する情報を登録する。本明細書では、ユーザ登録部を所有者登録部または所有者情報登録部と称することがある。ユーザ登録部２２１０は、少なくともユーザを識別するユーザIDをユーザ情報（所有者情報）としてデータベースに登録する。なお、ユーザ登録部２２１０は、新たにユーザ登録を行う際に当該ユーザで取得された画像を受信するにあたり、当該画像の所有権または複製権や公衆送信権といった著作権の譲渡または許諾に関する契約を締結し、当該契約情報をデータベースに登録しておくとよい。当該登録されている契約情報を参照して、画像提供に関する決済処理や動画提供要請時に自動的に動画像ファイルを回収するかユーザからの動画提供に関しての確認操作を求めるかの判定処理などが行われる構成とすると良い。
【０２２１】
画像関連情報ファイル受信部３２１０は、複数の画像取得装置９１００でそれぞれ取得される各動画像の取得位置を示す取得位置情報と取得日時を示す取得日時情報を取得画像関連情報として受信する。より具体的には、画像関連情報ファイル受信部３２１０は、画像取得装置９１００における一連の撮影処理（動画像取得処理）によって取得された複数の画像の取得位置情報と取得日時情報を含む画像関連情報ファイルを受信することで、前記画像取得装置で取得される各画像の取得位置を示す画像取得位置情報と取得日時を示す画像取得日時情報を受信する。ここで、画像関連情報ファイル受信部３２１０は、画像取得装置９１００で取得されて当該画像取得装置９１００の記憶媒体に記憶される各画像ファイルを識別する画像識別情報と当該画像ファイルに含まれる画像の取得位置を示す画像取得位置情報と取得日時を示す画像取得日情報がそれぞれ関連付けた状態で記録されている画像関連情報ファイルを受信する構成とするとさらに良好である。
【０２２２】
画像関連情報更新部３２２０は、取得画像関連情報として受信された画像取得位置情報と画像取得日時情報を関連付けた状態で記憶する。より具体的には、画像関連情報更新部３２２０は、画像関連情報ファイル受信部３２１０で受信された画像関連情報ファイルに記録されている画像取得位置情報と画像取得日時情報を読み出してデータベースに登録することで、画像収集システム９１００が管理するデータベースを更新していく。当該記憶・更新される画像関連情報は、以下に示すように利用可能な画像に関する情報をクライアントに対して提示するために参照される。
【０２２３】
なお、画像関連情報更新部３２２０は、画像取得位置情報や画像取得日時情報に加えて各動画像ファイルの容量や撮影方向などに関する情報も合わせて記憶する構成とするとさらにクライアントの利便性が向上するため良好である。
【０２２４】
範囲指定情報受信部２３０は、位置範囲と時間帯を指定する範囲指定情報を受信する。当該範囲指定情報は、クライアントが関心を持つ範囲で取得された動画像がどの程度あるかを検索するために用いられる情報であり、範囲指定情報受信部２３０は、予め登録しているクライアントのWebブラウザや所定のアプリケーションより当該範囲指定情報を受信する構成とすると良い。当該範囲指定情報を画像検索用範囲指定情報や画像抽出用範囲指定情報と称することがある。
【０２２５】
指定範囲内画像抽出部２４０は、範囲指定情報受信部２３０で受信された範囲指定情報に基づいて、画像関連情報更新部３２２０によって画像取得位置情報と画像取得日時情報が記憶されている画像の中から、範囲指定情報で指定される位置範囲かつ時間帯で取得された画像を抽出する。なお、この段階では当該動画像の実体である画像符号化データすなわち動画像ファイル自体は画像取得装置９１００に留まっており画像収集システム９２００内には記憶されていないため、指定範囲内画像抽出部２４０は、いずれかの画像取得装置９１００で取得されて当該装置内に記憶されている動画像ファイルをリストアップすることで当該抽出を行う。
【０２２６】
抽出画像関連情報送信部２５０は、抽出された画像に関する情報である抽出画像関連情報を送信する。すなわち、抽出画像関連情報送信部２５０は、範囲指定情報受信部２３０で受信された範囲指定情報で指定される位置範囲及び時間帯においていずれかの画像取得装置９１００で取得された画像に関する情報である抽出画像関連情報を範囲指定情報の送信元クライアントへ返信する。抽出画像関連情報送信部２５０は、抽出された動画像ファイルの数を示す情報を抽出画像関連情報としてクライアントへ提供しても良いし、抽出された各動画像ファイルにおける画像取得位置情報や画像取得日時情報、ファイルサイズ、解像度、直ぐに回収して利用可能かどうかを示す情報などを当該抽出画像関連情報としてクライアントへ提供しても良い。
【０２２７】
収集対象画像指定情報受信部２６０は、収集対象となる画像を指定する収集対象画像指定情報を受信する。例えば、収集対象画像指定情報受信部２６０は、指定範囲内画像抽出部２４０で当該抽出された画像に関する抽出画像関連情報を受信したクライアントより、当該抽出された画像の中から収集対象となる画像を指定する収集対象画像指定情報を受信する。
【０２２８】
収集対象画像送信要求情報送信部２７０は、収集対象画像指定情報受信部２６０で受信された収集対象画像指定情報で指定された収集対象となる画像の送信を要求する収集対象画像送信要求情報を送信する。より具体的には、収集対象画像送信要求情報送信部２７０は、収集対象画像指定情報受信部２６０で受信された収集対象画像指定情報で指定された収集対象となる画像の動画像ファイルを画像収集システム９２００へ送信することを要求する収集対象画像送信要求情報を送信する。
【０２２９】
収集対象画像受信部２８０は、収集対象画像送信要求情報に基づいて画像取得装置９１００より送信された収集対象画像送信要求情報に基づいて送信される画像を受信する。より具体的には、収集対象画像受信部２８０は、収集対象画像送信要求情報に基づいて画像取得装置９１００より送信された収集対象画像送信要求情報に基づいて送信される動画像ファイルを受信する。
【０２３０】
収集対象画像記憶部２９０は、収集対象画像受信部２８０で受信した画像を記憶媒体に記憶する。より具体的には、収集対象画像記憶部２９０は、収集対象画像受信部２８０で受信した動画像ファイルを記憶媒体に記憶する。
【０２３１】
要請元情報記憶部９２１０は、収集対象画像指定情報受信部２６０で受信された収集対象画像指定情報の送信元クライアントに関する情報を要請元情報として記憶する。図３３は、当該要請元情報の一例を示している。要請元情報では、収集対象画像指定情報受信部２６０で受信された収集対象画像指定情報毎に割り当てられる管理番号と、当該収集対象画像指定情報の送信元クライアントを識別するクライアントIDと、当該収集対象画像指定情報の内容が含まれる。要請元情報記憶部９２１０は、収集対象画像指定情報受信部２６０で新たに収集対象画像指定情報が受信された場合に、当該収集対象画像指定情報を送信元クライアントを判別可能な状態でデータベースに格納していく。なお、収集対象画像指定情報は、画像の提供を画像収集システム９２００に要請するための情報であるため画像提供要請情報と称されることがある。またクライアントが購入する画像を指定する情報と見ることもできるため購入画像指定情報と称されることもある。
【０２３２】
収集対象画像送信部９２２０は、要請元情報記憶部９２１０に記憶される要請元情報を参照して、収集対象画像受信部２８０で受信されて収集対象画像記憶部２９０に記憶されている動画ファイルを収集対象画像指定情報の送信元クライアントへ送信する。なお、当該構成を取るために、収集対象画像送信要求情報送信部２７０は、元になる収集対象画像指定情報に割り当てられる管理番号を含めて収集対象画像送信要求情報を送信し、収集対象画像受信部２８０は、画像取得装置９１００より当該管理番号と関連付けた状態で収集対象にかかる動画像ファイルを受信する構成とすると良い。収集対象画像送信部９２２０は、当該管理番号を参照して、新たに受信されて記憶される動画像ファイルの提供を要請しているクライアントを要請元情報から特定し、当該クライアントに動画像ファイルを送信する。
【０２３３】
図３４は、本実施形態９に係る画像集約システムの処理の流れを示すフローチャート図である。ユーザ登録部２１１０は、ユーザ又は自装置９１００の情報をユーザ情報として登録するための操作を受け付け（S9101）、当該入力されたユーザ情報を画像収集システム９２００へ送信する処理を行う（S9102）。画像収集システム９２００において、ユーザ登録部２２１０は当該送信されるユーザ情報を受信し（S9201）、ユーザ情報用のデータベースに格納することでユーザ登録を行う（S9202）。当該ユーザ情報としては、例えばユーザを識別するユーザIDや画像取得装置９１００を識別する装置IDのほか、ユーザの住所、郵便番号、位置情報のいずれかの情報をユーザ情報として登録する構成とすると良い。
【０２３４】
画像関連情報ファイル受信部３２１０は、複数の画像取得装置９１００でそれぞれ取得される各画像の取得位置を示す取得位置情報と取得日時を示す取得日時情報を取得画像関連情報として受信する処理を行う（S201）。画像関連情報更新部３２２０は、取得画像関連情報として受信された前記取得位置情報と前記取得日時情報を関連付けた状態で記憶する処理を行う(S202)。
【０２３５】
図３５は、画像関連情報更新部３２２０が更新するデータベースの一例を示している。画像関連情報更新部３２２０は、新たに受信された画像関連情報ファイルに含まれる各画像に対して一意に画像管理番号を割り当て、当該画像を識別する画像識別情報、画像取得位置情報、画像取得日時情報、及び当該画像を取得したユーザを識別するユーザID、当該画像を取得した画像取得装置９１００を識別する装置IDをそれぞれ関連付けた状態でデータベースに記憶していく。このように、画像関連情報更新部３２２０は、画像取得装置９１００で取得される画像についての取得画像関連情報を当該画像を取得したユーザを識別するユーザID又は当該画像を取得した画像取得装置９１００を識別する装置IDと関連付けた状態で記憶していく。
【０２３６】
範囲指定情報受信部２３０は、クライアントのWebブラウザや専用アプリケーションより画像抽出用の位置範囲と時間帯を指定する範囲指定情報を受信する処理を行う（S203）。
【０２３７】
図３６は、当該クライアントのWebブラウザに表示される画面の一例を示している。Webブラウザ画面には、日時範囲を指定するためのブランク9010と位置範囲を指定するためのマップ9020と画像検索用ボタン（画像抽出用ボタン）9030が配置されている。具体的には日時範囲を指定するためのブランク9010としては第１指定日時と第２指定日時をそれぞれ指定するためのブランクが配置されており、クライアントは当該ブランクに日時を入力することで日時範囲を指定する。また、クライアントは、GUIを操作することで画像抽出を行いたい位置範囲の地図を表示することで位置範囲を指定する。画像検索用ボタン9030が押下されることにより、日時範囲を指定するためのブランク9010に入力された２つの日時に関する情報と、マップ9020の対角線上の２つの頂点のいち座標に関する情報が範囲指定情報として画像収集システム９２００へ送信される。当該マップに表示されているエリアと当該２つの日時の間の時間帯がそれぞれ画像抽出用に指定する位置範囲および日時範囲となる。
【０２３８】
指定範囲内画像抽出部２４０は、当該受信された範囲指定情報に基づいて、S202で取得位置情報と取得日時情報が記憶されている複数の画像の中から範囲指定情報で指定される位置範囲かつ時間帯で取得された画像を抽出する処理を行う(S204)。
【０２３９】
抽出画像関連情報送信部２５０は、当該抽出された画像に関する情報である抽出画像関連情報を送信する処理を行う（S205）。具体的には、抽出画像関連情報送信部２５０は、S204で範囲指定情報に基づいて抽出された画像について、S202でデータベースに格納されている当該画像の取得画像関連情報の全部又は一部の情報を読み出し、これらの情報を含めて抽出画像関連情報を生成する処理を行い、当該生成した抽出画像関連情報を当該抽出画像関連情報の生成処理のトリガーとなった範囲指定情報の送信元クライアントに送信する処理を行う。
【０２４０】
ここで、抽出画像関連情報送信部２５０は、S204で抽出された複数の画像について、当該画像を取得したユーザまたは画像取得装置が区別可能な状態で抽出画像関連情報を生成する構成とすることが好ましい。抽出画像関連情報送信部２５０は、S204で抽出された複数の画像について、当該画像を取得したユーザまたは画像取得装置が区別可能な状態で抽出画像関連情報を送信する処理を行う。
【０２４１】
図３７、図３８は、当該抽出画像関連情報の一例を示している。図３７、図３８は、図３５で例示するデータベースの中からST09329341〜ST09329348の８個の画像が、S203で受信された範囲指定情報に基づいてS204で抽出される場合における抽出画像関連情報の一例を示している。S202でデータベースに記憶される取得画像関連情報のうち、画像識別情報は情報収集システム９２００と当該画像を取得した画像取得装置９１００の間で用いられる情報であり、クライアント側にはわからないようにすることが好ましいため抽出画像関連情報からは省かれている。また、ユーザIDも同様の理由で省かれている。
【０２４２】
一方、図３７の例では、抽出画像関連情報に含まれる複数の画像がどのユーザによって取得された画像であるか区別可能なようにユーザ区別番号が各画像に関連付けられている。図３７では、ユーザIDがCOCOS231のユーザに対してユーザ区別番号００１が、ユーザIDがElsaのユーザに対してユーザ区別番号００２が割り当てられている。一方、図３８の例では、抽出画像関連情報に含まれる複数の画像がどの画像取得装置によって取得された画像であるか区別可能なように装置区別番号が各画像に関連付けられている。図３８では、装置IDが32-FF-35-DA-12の画像取得装置に対して装置区別番号００１が、装置IDがFC-FB-68-24-3Dの画像取得装置に対して装置区別番号００２が、装置IDがAB-CC-87-D5-29の画像取得装置に対して装置区別番号００３が、それぞれ割り当てられている。
【０２４３】
図３７と図３８では、画像識別番号がST09329348の画像について、ユーザ区別番号001が割り当てられる一方、装置区別番号は003が割り当てられる。同一ユーザでも取得する画像取得装置が異なる場合に違いを生じることになる。
【０２４４】
図３９，図４０は、それぞれ図３７、図３８で例示した抽出画像関連情報を受信したクライアントのWebブラウザで表示される画面の一例を示している。当該クライアント画面には画像注文用のフランク9040と画像注文ボタン9050が配置されている。また、マップ9020には、抽出画像関連情報に含まれる各画像の取得位置に対応した場所に画像の存在を示すアイコン9021が表示されている。
【０２４５】
図３９では、抽出画像関連情報に含まれる各画像の取得ユーザが区別可能なようにユーザ区別番号が含まれているため、当該ユーザ区別番号にしたがって異なるアイコン９０２１がマップ９０２０に表示されている。また、図４０では、抽出画像関連情報に含まれる各画像の取得装置が区別可能なように装置区別番号が含まれているため、当該装置区別番号にしたがって異なるアイコン９０２１がマップ９０２０に表示されている。
【０２４６】
このように、各画像の取得ユーザ又は取得装置が区別可能な状態で抽出画像関連情報が生成及び送信されるため、抽出された各画像をユーザ又は装置毎にクライアント側のWebブラウザで区別可能な状態で表示することが可能となる。したがって、クライアントは同一のユーザ又は画像取得装置で取得された画像を纏めて購入したい場合などに注文を出しやすくなり、クライアントの利便性が向上する。仮にユーザ区別番号又は装置区別番号が抽出画像関連情報に含まれていない場合、Webブラウザでは図４１に例示するように、各画像の存在を示すアイコン9021を区別することができず同一のアイコンを用いることになるため、クライアントは所定のユーザ又は画像取得装置における一連の画像録画処理で得られる画像を購入したい場合に、どのアイコンと関連付けられている画像が同一ユーザ又は画像取得装置で取得された画像であるかを判別することが出来ないことになる。一方、抽出された複数の画像について、取得したユーザまたは画像取得装置が区別可能な状態で抽出画像関連情報が送信されることでこのような問題を回避することが出来る。
【０２４７】
なお、上記説明ではユーザのプライバシー保護の観点から、抽出画像関連情報送信部２５０は、抽出された画像の取得者であるユーザを識別するユーザIDの代わりにユーザ区別番号を割り当てて抽出画像関連情報を生成する場合について説明したがこれに限定するものではない。抽出画像関連情報送信部２５０は、抽出画像関連情報に含まれる画像がどのユーザによって取得された画像であるか、すなわちどのユーザが所有権又は著作権を保有している画像であるかが区別可能なように抽出画像関連情報を生成して送信する構成としても良い。
【０２４８】
クライアントのWebブラウザの注文ボタン9050が押下されることにより、画像注文用ブランク９０４０で選択された画像が注文画像すなわち収集対象画像であるとして、当該収集対象画像を指定する収集対象画像指定情報が画像収集システム９２００へ送信される。
【０２４９】
収集対象画像指定情報受信部２６０は、収集対象となる画像を指定する収集対象画像指定情報を受信する処理を行う（S206）。図４２は、図３９、図４０の例でクライアントのWebブラウザで注文ボタン９０５０が押下された場合に送信される収集対象画像指定情報の一例を示している。図４２の例ではクライアントによって収集対象画像として指定された画像を識別する画像識別番号が収集対象画像指定情報として用いられる場合を示している。
【０２５０】
収集対象画像送信要求情報送信部２７０は、S206で受信された収集対象画像指定情報で指定された収集対象となる画像の送信を要求する収集対象画像送信要求情報を送信する収処理を行う（S207）。収集対象画像受信部２８０は、S207で送信された収集対象画像送信要求情報に基づいて送信される画像を受信する処理を行う。具体的には、収集対象画像受信部２８０は、収集対象画像送信要求情報に基づいて送信される画像の画像ファイルを受信する処理を行う。収集対象画像記憶部２９０は、S208で受信した画像を記憶媒体に記憶する処理を行う（S209）。具体的には、収集対象画像記憶部２９０は、S208で受信した画像の画像ファイルを記憶媒体に記憶する処理を行う。収集対象画像送信部９２２０は、収集対象画像として画像取得装置９１００より受信した画像を要請元のクライアントへ送信する処理を行う。
【０２５１】
以上のように本実施形態９に係る画像集約システムによれば、静止画像やメタ情報と比較して容量が大きい動画ファイルを適切に画像収集システム９２００に回収してクライアントに届けることが可能になる。なお、上記説明では、収集対象画像指定情報として収集対象となる画像を識別する画像識別番号を送信する場合について説明したがこれに限定するものではない。例えば、図４３に例示するように抽出された画像を取得したユーザまたは画像取得装置を示す情報を前記収集対象画像指定情報としてWebブラウザより画像収集システム９２００へ返す構成としてもよい。この場合、収集対象画像指定情報受信部２６０は、指定範囲内画像抽出部２４０で抽出された画像を取得したユーザまたは画像取得装置を示す情報を前記収集対象画像指定情報として受信する処理を行う。より具体的には、収集対象画像指定情報受信部２６０は、指定範囲内画像抽出部２４０で抽出された画像であってクライアントが収集対象として指定する画像を取得したユーザまたは画像取得装置を示す情報を前記収集対象画像指定情報として受信する処理を行う。
【０２５２】
なお、上記説明では装置IDを画像取得装置９１００を識別するIDであるとして説明したが、装置IDとして画像取得装置９１００が具備するカメラである画像取得部１１０を識別するIDであってもよい。例えば、図４４に示すように共通の画像取得装置９１００が複数のカメラである画像取得部１１０を具備する場合、クライアントは当該画像取得装置９１００が具備する複数のカメラである画像取得部１１０のうち特定のカメラである画像取得部１１０で取得された画像だけを欲する場合がある。このようなケースとしては、例えば複数の方向を撮影する複数のカメラを搭載する画像取得装置９１００でクライアントは特定の方向を撮影するカメラの映像を欲する場合が考えられる。
【０２５３】
従って、図４５に示すように、画像関連情報ファイル生成部３１１０は、取得される画像と当該画像を取得したカメラである画像取得部１１０を識別する装置識別情報（装置ID）を関連付けた状態で画像関連情報ファイルを生成すると良い。
【０２５４】
図４５では、画像を取得する各カメラを識別する装置IDや画像取得方向（画像撮影方向）を画像取得位置情報や画像取得日時情報と関連付けた状態で画像関連情報ファイルに含めて送信する場合を示している。画像関連情報ファイル受信部３２１０は、画像取得装置９１００が具備するカメラであって画像を取得したカメラを識別する装置IDと、画像取得方向を示す画像取得方向情報又は画像取得方位を示す画像取得方位情報と、画像取得位置情報と画像取得日時情報とがそれぞれ関連付けられている取得画像関連情報を含む画像関連情報ファイルを受信する。画像関連情報更新部３１２０は、画像関連情報ファイルに含まれるこれらの情報をデータベースに格納することで記憶する。当該構成とすることで、クライアントは各画像取得装置が備える各カメラで取得される動画像を装置区別番号を用いて指定できるため、クライアントの利便性が向上する。なお、画像取得方向情報は、図４４に示すように画像取得部１１０で取得される画像の取得方向に関する画像取得方向情報を取得する画像取得方向情報取得部９１１０によって取得される構成とすると良い。画像取得方向情報取得部９１１０は、方位センサや加速度センサ、隣接する２時刻の画像取得位置情報の差分等を用いて画像取得方向情報を取得する構成とすると良い。
【０２５５】
（実施形態１０）
実施形態９では、画像取得部１１０で取得される動画像の取得位置情報や取得日時情報だけを先に画像収集システムに送信しておき、収集対象画像送信要求情報に基づいて動画像ファイルを画像収集システムに送信する。ここで、クライアントは画像が取得された位置と日時を手掛かりに画像を購入しなければならないため、実際に画像を購入したもののそこに写っている映像は期待はずれであったという場合が想定され得る。本実施形態１０に係る画像集約システムではクライアントにより多くの情報を提供することでクライアントの利便性を向上させることを目的とする。
【０２５６】
図４６は、本実施形態１０に係る画像集約システムの構成を示すブロック図である。画像取得装置１０１００はサムネイル画像生成部１０１１０を更に具備することを特徴とする。画像取得部１１０は、ユーザからの画像取得開始操作に基づいて画像取得処理を開始し、画像を取得する。ここでは画像取得部１１０は、ファイル容量が静止画像と比較して大きい動画像を取得するものとして説明する。
【０２５７】
サムネイル画像生成部１０１１０は、画像取得部１１０で取得された画像を圧縮したサムネイル画像を生成する。サムネイル画像生成部１０１１０は、例えば画像取得部１１０で取得されて画像記憶部１４０に記憶される動画像ファイルの中から、所定の枚数のイントラピクチャを読み出し、当該イントラピクチャの解像度を下げるか画像圧縮率を高めて再符号化を行うことで、元の動画像ファイルよりも容量の小さいサムネイル画像を生成する。ここでサムネイル画像生成部１０１１０は、画像取得部１１０で取得される所定の期間毎の動画ファイルの先頭のイントラピクチャを抽出してサムネイル画像を生成してもよいし、各動画ファイルの中から複数のイントラピクチャを抽出し、解像度の低減処理や基準の画像圧縮率よりも高い画像圧縮率で再符号化を行うことでサムネイル画像を生成する構成とすると良い。
【０２５８】
取得画像関連情報送信部１５０は、サムネイル画像生成部１０１１０生成されたサムネイル画像を取得画像関連情報として画像収集システム１０２００へ送信する。サムネイル画像は画像取得位置情報や画像取得日時情報と同じタイミングで取得画像関連情報として送信されても良いし、一連の画像取得処理が終了した後で、当該一蓮の画像取得処理で取得された各画像について纏めてサムネイル画像を生成して画像収集システム１０２００へ送信する構成としてもよい。
【０２５９】
画像収集システム１０２００は、ユーザ登録部２２１０と、取得画像関連情報受信部２１０と、取得画像関連情報記憶部２２０と、範囲指定情報受信部２３０と、指定範囲内画像抽出部２４０と、抽出画像関連情報送信部２５０と、収集対象画像指定情報受信部２６０と、収集対象画像送信要求情報送信部２７０と、収集対象画像受信部２８０と、収集対象画像記憶部２９０と、要請元情報記憶部９２１０と、収集対象画像送信部９２２０と、を具備する。
【０２６０】
取得画像関連情報受信部２１０は、複数の画像取得装置１０１００でそれぞれ取得される各画像のサムネイル画像を取得画像関連情報として受信する処理を行う。取得画像関連情報記憶部２２０は、取得画像関連情報として受信されたサムネイル画像を画像取得位置情報と画像取得日時情報を関連付けた状態で記憶する処理を行う。抽出画像関連情報送信部２５０は、指定範囲内画像抽出部２４０で抽出された画像のサムネイル画像を送信する処理を行う。すなわち、抽出画像関連情報送信部２５０は、指定範囲内画像抽出部２４０で抽出された画像のサムネイル画像を抽出画像関連情報として範囲指定情報の送信元クライアントへ送信する処理を行う。
【０２６１】
クライアントのWebブラウザでは、指定した範囲で取得された画像のサムネイル画像が注文前に提示されるため、抽出用位置範囲かつ抽出用日時範囲で取得された画像であって本当に自分にとって価値がたかい画像だけを当該サムネイル画像を参考にして選び出して注文することが可能になる。従って、クライアントの利便性が大きく向上することになる。
【０２６２】
以上説明したように、本発明の画像集約システムは、複数のユーザがそれぞれ所有する画像取得装置と、当該複数の画像取得装置で取得された画像を所定の基準に基づいて収集する画像収集システムから構成される。画像取得装置と画像収集システムは所有者が異なるため、画像収集システム側から各画像取得装置を完全に制御することは出来ない。その一方、各画像取得装置でどのような画像が取得されて記憶されているかを画像収集システムが把握して必要に応じて提示できるようにしておかなければ、当該画像を利用しようとするクライアントの利便性が大きく損なわれることになる。しかし、画像取得装置で取得される画像を順次画像収集システムに送信して画像収集システムで記憶する構成をとると、画像収集システムのデータ記憶コストや通信コストが膨大になる。
【０２６３】
これらの状況を鑑み、画像取得装置で新たに画像が取得された場合は、当該画像に関する情報を取得画像関連情報として画像収集システム側へ送信し、画像の符号化データを含んで構成される画像ファイルそれ自体は画像取得装置内に留めておく。当該構成とすることで、不必要に画像が画像収集システムに集まることでコストの増大化や被写体のプライバシー問題を発生させることが無い一方、クライアントにはどのような画像が潜在的に利用可能であるかを提示できるため、各画像取得装置で取得される画像を社会全体として活用することが可能となる。
【０２６４】
なお、画像取得装置１００から情報収集システム２００へ送信される取得画像関連情報の送信タイミングは、各画像が取得される毎に当該画像の取得画像関連情報を送信する構成としてもよいし、複数の画像の取得画像関連情報を所定のタイミングで纏めて送信する構成としてもよい。
【０２６５】
前者の場合は、新たに取得された画像の存在を画像収集システム２００側でリアルタイムに把握することが出来る一方、画像取得位置情報は同時に画像取得者の位置を示しているため、画像取得者の位置情報をリアルタイムで継続的に収集することは画像取得者のプライバシー保護の観点から好ましくない場合がある。特に、画像収集システムが主要な収集対象とするデータは取得される画像自体であり、画像取得位置情報は単にその画像に付随する情報でしかないため、一般的に画像取得者のプライバシー保護の方が優先度が高くなる。後者の場合は、各画像取得装置で取得される画像の存在が、リアルタイムに画像収集システムのデータベースへ反映されないためクライアント側の利便性が低下する一方、ユーザである画像取得者のプライバシーを高く維持することができる。
【０２６６】
また、本発明では収集対象画像送信要求情報を受信した画像取得装置でユーザから当該要求されている画像の送信を許可する画像送信許可操作を毎回入力するように構成することはユーザの煩雑さを増大するため、収集対象画像送信要求情報を受信した場合に自動的に収集対象画像を抽出して自動的に送信することをユーザと画像収集システムの所有者との間で合意しておくことが好ましい。そこで、図４７に示すように、本発明に係るアプリケーションを初回起動する時点で契約書を交わしておく構成とすると良い。
【０２６７】
図４７において、画像取得装置は契約書コンテンツ受信部１１１１０と、契約書コンテンツ表示部１１１２０と、契約同意情報生成部１１１３０と、契約同意情報記憶部１１１４０と、契約同意情報送信部１１１５０を更に具備する。また画像収集システムは、契約書コンテンツ送信部１１２１０と、契約同意情報受信部１１２２０と、契約同意情報記憶部１１２３０と、を具備する。
【０２６８】
契約書コンテンツ送信部１１２１０は、収集対象となる画像の送信を要求する収集対象画像送信要求情報を受信した場合に、画像取得装置の記憶媒体に記憶されている画像の中から当該収集対象となっている画像を自動的に抽出して自動的に画像収集システムに送信することに同意する内容を含む契約書コンテンツを送信する。
【０２６９】
契約書コンテンツ受信部１１１１０は、収集対象となる画像の送信を要求する収集対象画像送信要求情報を受信した場合に、画像取得装置の記憶媒体に記憶されている画像の中から当該収集対象となっている画像を自動的に抽出して自動的に画像収集システムに送信することに同意する内容を含む契約書コンテンツを受信する。
【０２７０】
契約書コンテンツ表示部１１１２０は、上記受信された契約書コンテンツを表示する。
【０２７１】
契約同意情報生成部１１１３０は、上記表示される契約書コンテンツで示される契約内容に同意するユーザからの意思表示の操作を受け付けることで、収集対象となる画像の送信を要求する収集対象画像送信要求情報を受信した場合に、画像取得装置の記憶媒体に記憶されている画像の中から当該収集対象となっている画像を自動的に抽出して自動的に画像収集システムに送信することに同意したことを示す契約同意情報を生成する。
【０２７２】
契約同意情報記憶部１１１４０は、当該ユーザからの契約同意操作に基づいて生成された契約同意情報を記憶媒体に記憶する。また、契約同意情報送信部１１１５０は、当該ユーザからの契約同意操作に基づいて生成された契約同意情報を情報収集システムへ送信する。
【０２７３】
契約同意情報受信部１１２２０は、ユーザからの契約同意操作に基づいて生成された収集対象となる画像の送信を要求する収集対象画像送信要求情報を受信した場合に、画像取得装置の記憶媒体に記憶されている画像の中から当該収集対象となっている画像を自動的に抽出して自動的に画像収集システムに送信することに同意したことを示す契約同意情報を受信する。契約同意情報記憶部１１２３０は、当該受信された契約同意情報を記憶媒体に記憶する。
【０２７４】
このように構成することで、本発明のアプリケーションを初回起動する時点で収集対象画像の取り扱いについて決めることができるため、収集対象画像送信要求情報が受信された時点でのユーザからの追加操作を待つことなく画像を収集できるためユーザの利便性を向上させることができる。
【０２７５】
なお、上記契約書コンテンツには、画像収集システムへ収集された画像の所有権その他複製権や公衆送信権などの著作権を画像収集システムの所有者へ譲渡するか、画像収集システムへ収集された画像を複製および／又は公衆送信するための実施権を所定の条件の下で画像収集システムの所有者へ許諾する（ライセンスする）ことを示す内容を含んでおくと更に良好である。なお、上記所定の条件としては、対価の支払いを伴うことなどを条件に設定できるように構成すると良い。
【０２７６】
この場合、契約同意情報生成部１１１３０は、上記表示される契約書コンテンツで示される契約内容に同意するユーザからの意思表示の操作を受け付けることで、画像収集システムへ収集された画像の所有権その他複製権や公衆送信権などの著作権を画像収集システムの所有者へ譲渡するか、画像収集システムへ収集された画像を複製および／又は公衆送信するための実施権を画像収集システムの所有者へ許諾する（ライセンスする）ことに同意したことを示す契約同意情報を生成する。
【０２７７】
契約同意情報記憶部１１１４０は、当該ユーザからの契約同意操作に基づいて生成された契約同意情報を記憶媒体に記憶する。また、契約同意情報送信部１１１５０は、当該ユーザからの契約同意操作に基づいて生成された契約同意情報を情報収集システムへ送信する。
【０２７８】
契約同意情報受信部１１２２０は、ユーザからの契約同意操作に基づいて生成された画像収集システムへ収集された画像の所有権その他複製権や公衆送信権などの著作権を画像収集システムの所有者へ譲渡するか、画像収集システムへ収集された画像を複製および／又は公衆送信するための実施権を画像収集システムの所有者へ許諾する（ライセンスする）ことに同意したことを示す契約同意情報を受信する。契約同意情報記憶部１１２３０は、当該受信された契約同意情報を記憶媒体に記憶する。
【０２７９】
なお、当該契約書コンテンツは予め画像取得装置の記憶媒体に記憶されている構成としても良い。この場合、図４８に示すように、契約書コンテンツ表示部１１１２０は、アプリケーションの初回起動時に上記受信された契約書コンテンツを記憶媒体より読み出して表示する処理を行う（Ｓ１１１０１）。契約同意情報生成部１１１３０は、上記表示される契約書コンテンツで示される契約内容に同意するユーザからの意思表示の操作を受け付けることで当該契約内容に同意したことを示す契約同意情報を生成する処理を行う（Ｓ１１１０２）。契約同意情報送信部１１１５０は、当該生成された契約同意情報を情報収集システムへ送信し（Ｓ１１１０３）、契約同意情報を記憶媒体に記憶する処理を行う（Ｓ１１１０４）。
【０２８０】
契約同意情報受信部１１２１０は、契約書コンテンツで示される契約内容に同意するユーザからの意思表示の操作に基づいて生成される当該契約内容に同意したことを示す契約同意情報を受信する処理を行う（Ｓ１１２０１）。契約同意情報記憶部１１２２０は、Ｓ１１２０１で受信された契約同意情報を記憶媒体に記憶する処理を行う（Ｓ１１２０２）。
【０２８１】
このように、画像収集方法や収集した画像の権利関係について予め包括的に契約を画像取得装置の所有者であるユーザと交わしておくことで、その後のユーザからの追加入力を待つことなく画像収集が可能となり利便性を向上させることが出来る。
【０２８２】
なお、画像を収集することに対して対価が発生する契約である場合、画像収集システムは決済処理部を具備していると更に良好である。収集対象画像受信部２８０で収集対象画像が受信されて収集対象画像記憶部２９０で記憶媒体に記憶された場合、決済処理部は当該収集対象となる画像を取得して送信した（提供した）画像取得装置の所有者であるユーザに対して、契約同意情報で同意された契約内容に従った対価を算出して付与する処理を行う。ここで対価としては商品・サービスと交換可能なポイントや現金とすると良い。
【０２８３】
また、上記説明では新たに取得された画像に関する取得画像関連情報を画像収集システム２００へ送信する場合について説明したが、画像取得装置１００から消去される画像に関する消去画像関連情報を画像収集システム２００に送信する構成とすると更に良好である。移動型画像取得装置１００は、ユーザが携帯する場合が多くその大きさに対する制限から記憶媒体の記憶容量は相対的に小さく、新たな画像を取得するために過去の画像が消去される場合が多い。当該画像が消去されたことを情報収集システム２００に通知しないと画像収集システム２００が把握している画像と、実際に各画像取得装置１００で記憶されている画像に齟齬が出ることになる。消去画像関連情報を合わせて送ることでこのような齟齬を低減させることが可能になる。
【０２８４】
また、上記説明した画像取得装置は、画像撮像装置、映像撮影装置、カメラ、カムコーダ、携帯端末装置、スマートフォン、ウェアラブルカメラ、ウェアラブル端末装置、車載カメラ、などと称されることがある。
【０２８５】
また、上記説明した各機能はソフトウェアとハードウェアの協働によって実現される構成とすることができる。
【０２８６】
また、本発明は上記説明した実施形態に限定されるものではない。例えば、上述した各実施形態を組み合わせることが可能である。
【０２８７】
また、上述した収集対象画像は、画像収集システムから見た場合の立場であり、画像の要請元クライアントから見た場合、収集対象となる収集対象画像は、送信要請が行われる送信要請画像、画像を購入する購入対象画像、注文の対象となる注文対象画像などと称されることがある。
【０２８８】
また、本発明の画像収集システムは、画像受注システム、画像管理システム、画像購買システム、画像購入システムなどと称されることがある。
【０２８９】
（付記１）
所有者が異なる複数の画像取得装置で取得される画像の中から所定の条件を満たす画像を収集する画像収集システムであって、
前記複数の画像取得装置でそれぞれ取得される各画像の取得位置を示す取得位置情報と取得日時を示す取得日時情報を取得画像関連情報として受信する取得画像関連情報受信手段と、
前記取得画像関連情報として受信された前記取得位置情報と前記取得日時情報を関連付けた状態で記憶する取得画像関連情報記憶手段と、
位置範囲と時間帯を指定する範囲指定情報を受信する範囲指定情報受信手段と、
前記受信された範囲指定情報に基づいて、前記取得画像関連情報記憶手段によって前記取得位置情報と前記取得日時情報が記憶されている画像の中から前記範囲指定情報で指定される位置範囲かつ時間帯で取得された画像を抽出する画像抽出手段と、
前記抽出された画像に関する情報である抽出画像関連情報を送信する抽出画像関連情報送信手段と、
注文画像を指定する注文画像指定情報を受信する注文画像指定情報受信手段と、
前記受信された注文画像指定情報で指定された前記注文画像の送信を要求する注文画像送信要求情報を送信する注文画像送信要求情報送信手段と、
前記送信された注文画像送信要求情報に基づいて送信される画像を受信する注文画像受信手段と、
前記受信した画像を記憶する注文画像記憶手段と、
を具備する画像収集システム。
（付記２）
前記画像取得装置において消去された画像を示す消去画像関連情報を受信する消去画像関連情報受信手段と、
前記記憶されている取得画像関連情報の中から前記消去画像関連情報で示される画像の取得画像関連情報を消去する取得画像関連情報消去手段と、
を更に具備する付記１に記載の画像収集システム。
（付記３）
ユーザまたは前記画像取得装置が設置されている住所、郵便番号、位置情報のいずれかの情報を登録するユーザ情報登録手段と、
所定の住所、郵便番号、位置情報のいずれかで示される位置範囲で登録されているユーザ数を検索するためのユーザ数検索情報を受信するユーザ数検索情報受信手段と、
前記受信されたユーザ数検索情報に含まれる住所情報、郵便番号情報、位置座標情報、エリア情報のいずれかで示される位置範囲で登録されているユーザのユーザ数を示すユーザ数情報を生成するユーザ数情報生成手段と、
前記生成されたユーザ数情報を送信するユーザ数情報送信手段と、
を更に具備する付記９又は１０に記載の画像収集システム。
（付記４）
前記抽出画像関連情報送信手段は、前記抽出された画像が利用可能になる時期、確率、レベルのいずれかに関する情報又は前記抽出された画像が画像収集システム側に記憶されている状態であるか画像取得装置側に記憶されている状態であるかに関する情報を含む前記抽出画像関連情報を送信する、
付記１又は２に記載の画像収集システム。
（付記５）
前記抽出画像関連情報送信手段は、前記抽出された複数の画像について、取得したユーザまたは画像取得装置が区別可能な状態で前記抽出画像関連情報を送信する、
付記１乃至３のいずれか１項に記載の画像収集システム。
（付記６）
前記注文画像指定情報受信手段は、前記抽出された画像を取得したユーザまたは画像取得装置を示す情報を前記注文画像指定情報として受信する、
付記５に記載の画像収集システム。
（付記７）
クライアント情報を登録するクライアント登録手段と、
ユーザまたは画像取得装置毎に画像提供条件として、画像提供可能なクライアントまたは画像提供可能なクライアントのグループを示す情報を登録する画像提供条件登録手段と、
をさらに具備し、
前記画像抽出手段は、前記受信された範囲指定情報で指定される範囲で取得された画像であって、前記範囲指定情報の送信元クライアントを画像提供可能なクライアントとして前記画像提供条件を登録しているユーザの画像取得装置で取得された画像を抽出する、
付記１乃至６のいずれか１項に記載の画像収集システム。
（付記８）
前記取得画像関連情報受信手段は、前記複数の画像取得装置でそれぞれ取得される各画像のサムネイル画像を前記取得画像関連情報として受信し、
前記取得画像関連情報記憶手段は、前記取得画像関連情報として受信された前記サムネイル画像を取得位置情報と前記取得日時情報を関連付けた状態で記憶し、
前記抽出画像関連情報送信手段は、抽出された画像のサムネイル画像を送信する、
付記１乃至７のいずれか１項に記載の画像収集システム。
（付記９）
所有者が異なる複数の画像取得装置で取得される画像の中から所定の条件を満たす画像を収集する画像収集方法であって、
前記複数の画像取得装置でそれぞれ取得される各画像の取得位置を示す取得位置情報と取得日時を示す取得日時情報を取得画像関連情報として受信する取得画像関連情報受信ステップと、
前記取得画像関連情報として受信された前記取得位置情報と前記取得日時情報を関連付けた状態で記憶する取得画像関連情報記憶ステップと、
位置範囲と時間帯を指定する範囲指定情報を受信する範囲指定情報受信ステップと、
前記受信された範囲指定情報に基づいて、前記取得画像関連情報記憶ステップで前記取得位置情報と前記取得日時情報が記憶されている画像の中から前記範囲指定情報で指定される位置範囲かつ時間帯で取得された画像を抽出する画像抽出ステップと、
前記抽出された画像に関する情報である抽出画像関連情報を送信する抽出画像関連情報送信ステップと、
注文画像を指定する注文画像指定情報を受信する注文画像指定情報受信ステップと、
前記受信された注文画像指定情報で指定された前記注文画像の送信を要求する注文画像送信要求情報を送信する注文画像送信要求情報送信ステップと、
前記送信された注文画像送信要求情報に基づいて送信される画像を受信する注文画像受信ステップと、
前記受信した画像を記憶する注文画像記憶ステップと、
を有する画像収集方法。
（付記１０）
前記画像取得装置において消去された画像を示す消去画像関連情報を受信する消去画像関連情報受信ステップと、
前記記憶されている取得画像関連情報の中から前記消去画像関連情報で示される画像の取得画像関連情報を消去する取得画像関連情報消去ステップと、
を更に有する付記９に記載の画像収集方法。
（付記１１）
ユーザまたは前記画像取得装置が設置されている住所、郵便番号、位置情報のいずれかの情報を登録するユーザ情報登録ステップと、
所定の住所、郵便番号、位置情報のいずれかで示される位置範囲で登録されているユーザ数を検索するためのユーザ数検索情報を受信するユーザ数検索情報受信ステップと、
前記受信されたユーザ数検索情報に含まれる住所情報、郵便番号情報、位置座標情報、エリア情報のいずれかで示される位置範囲で登録されているユーザのユーザ数を示すユーザ数情報を生成するユーザ数情報生成ステップと、
前記生成されたユーザ数情報を送信するユーザ数情報送信ステップと、
を更に有する付記９又は１０に記載の画像収集方法。
（付記１２）
前記抽出画像関連情報送信ステップは、前記抽出された画像が利用可能になる時期、確率、レベルのいずれかに関する情報又は前記抽出された画像が画像収集システム側に記憶されている状態であるか画像取得装置側に記憶されている状態であるかに関する情報を含む前記抽出画像関連情報を送信する、
付記１７乃至１９のいずれか１項に記載の画像収集方法。
（付記１３）
前記抽出画像関連情報送信ステップは、前記抽出された複数の画像について、取得したユーザまたは画像取得装置が区別可能な状態で前記抽出画像関連情報を送信する、
付記９乃至１１のいずれか１項に記載の画像収集方法。
（付記１４）
前記注文画像指定情報受信ステップは、前記抽出された画像を取得したユーザまたは画像取得装置を示す情報を前記注文画像指定情報として受信する、
付記１３に記載の画像収集方法。
（付記１５）
クライアント情報を登録するクライアント登録ステップと、
ユーザまたは画像取得装置毎に画像提供条件として、画像提供可能なクライアントまたは画像提供可能なクライアントのグループを示す情報を登録する画像提供条件登録ステップと、
を更に有し、
前記画像抽出ステップは、前記受信された範囲指定情報で指定される範囲で取得された画像であって、前記範囲指定情報の送信元クライアントを画像提供可能なクライアントとして前記画像提供条件を登録しているユーザの画像取得装置で取得された画像を抽出する、
付記９乃至１４のいずれか１項に記載の画像収集方法。
（付記１６）
前記取得画像関連情報受信ステップは、前記複数の画像取得装置でそれぞれ取得される各画像のサムネイル画像を前記取得画像関連情報として受信し、
前記取得画像関連情報記憶ステップは、前記取得画像関連情報として受信された前記サムネイル画像を取得位置情報と前記取得日時情報を関連付けた状態で記憶し、
前記抽出画像関連情報送信ステップは、抽出された画像のサムネイル画像を送信する、
付記９乃至１５のいずれか１項に記載の画像収集方法。
【産業上の利用可能性】
【０２９０】
本発明は、一般ユーザの画像取得装置を利用することで、安価でクライアントの負荷の小さい画像集約システム等に適用することが可能である。
【符号の説明】
【０２９１】
１００  画像取得装置                   １１０  画像取得部（画像撮影部）
１２０  位置情報取得部                 １３０  日時情報取得部
１４０  画像記憶部                     １５０  取得画像関連情報送信部
１６０  収集対象画像送信要求情報受信部 １７０  収集対象画像抽出部
１８０  収集対象画像送信部             ２００  画像収集システム
２１０  取得画像関連情報受信部         ２２０  取得画像関連情報記憶部
２３０  範囲指定情報受信部（検索用範囲指定情報受信部）        
２４０  指定範囲内画像抽出部（指定範囲内画像検索部）
２５０  抽出画像関連情報送信部         
２６０  収集対象画像指定情報受信部（注文画像指定情報受信部）
２７０  収集対象画像送信要求情報送信部（注文画像送信要求情報送信部）
２８０  収集対象画像受信部（注文画像受信部）
２９０  収集対象画像記憶部（注文画像記憶部）
２１００  画像取得装置                 ２１１０  ユーザ登録部（ユーザ情報登録部）
２１２０  画像消去部                   ２１３０  消去画像関連情報送信部
２１４０  時間計測部                   ２１５０  収集対象画像確認情報送信部
２２００  画像収集システム             ２２１０  ユーザ登録部（ユーザ情報登録部）
２２２０  消去画像関連情報受信部       ２２３０  取得画像関連情報消去部
２２４０  フラグ更新部                 ２２５０  収集対象画像確認情報受信部
２２６０  収集対象画像存在判定部
３１００  画像取得装置                 ３１１０  画像関連情報ファイル生成部
３１２０  画像関連情報ファイル送信部   ３２００  画像収集システム
３２１０  画像関連情報ファイル受信部   ３２２０  画像関連情報更新部
４１００  画像取得装置                 ４１１０  アクティブ状態通知部
４２００  画像収集システム             ４２１０  アクティブ状態更新部
４２２０  アクティブ頻度情報更新部     
４２３０  収集対象画像選択用ファイル送信要求情報受信部
４２４０  収集対象画像選択用ファイル送信部
５１００  画像取得装置                 ５１１０  画像取得装置登録部
５２００  画像収集システム             ５２１０  画像取得装置登録部
６１００  画像取得装置                 ６１１０  起動開始通知情報送信部
６１２０  画像取得開始位置情報送信部   ６１３０  画像取得終了位置情報送信部
６２００  画像収集システム             ６２１０  起動開始通知情報受信部
６２２０  画像取得開始位置情報受信部   ６２３０  画像取得修了位置情報受信部
６２４０  画像取得開始・終了位置情報記憶部
６２５０  周囲状況情報生成部           ６２６０  周囲状況情報送信部
６２７０  ユーザ数検索情報受信部       ６２８０  ユーザ数情報生成部
６２９０  ユーザ数情報送信部
７１００  画像取得装置                 ７１１０  画像提供条件登録部
７１２０  収集対象画像関連情報表示部
７２００  画像収集システム             ７２１０  画像提供条件登録部
７２２０  クライアント登録部
８１００  画像取得装置                 ８１１０  アクティブ化要求情報受信部
８１２０  アクティブ化要求情報表示部
８２００  画像収集システム             ８２１０  アクティブ状態判定部
８２２０  アクティブ化要求情報送信部
９１００  画像取得装置                 ９１１０  画像取得方向情報取得部
９２００  画像収集システム
９２１０  要請元情報記憶部             ９２２０  収集対象画像送信部
１０１００  画像取得装置               １０１１０  サムネイル画像生成部
１０２００  画像収集システム
１１１１０  契約書コンテンツ受信部     １１１２０  契約書コンテンツ表示部
１１１３０  契約同意情報記憶部         １１１４０  契約同意情報送信部
１１２１０  契約書コンテンツ送信部     １１２２０  契約同意情報受信部
１１２３０  契約同意情報記憶部
【図１】
2016144010.tif 000003
【図２】
2016144010.tif 000004
【図３】
2016144010.tif 000005
【図４】
2016144010.tif 000006
【図５】
2016144010.tif 000007
【図６】
2016144010.tif 000008
【図７】
2016144010.tif 000009
【図８】
2016144010.tif 000010
【図９】
2016144010.tif 000011
【図１０】
2016144010.tif 000012
【図１１】
2016144010.tif 000013
【図１２】
2016144010.tif 000014
【図１３】
2016144010.tif 000015
【図１４】
2016144010.tif 000016
【図１５】
2016144010.tif 000017
【図１６】
2016144010.tif 000018
【図１７】
2016144010.tif 000019
【図１８】
2016144010.tif 000020
【図１９】
2016144010.tif 000021
【図２０】
2016144010.tif 000022
【図２１】
2016144010.tif 000023
【図２２】
2016144010.tif 000024
【図２３】
2016144010.tif 000025
【図２４】
2016144010.tif 000026
【図２５】
2016144010.tif 000027
【図２６】
2016144010.tif 000028
【図２７】
2016144010.tif 000029
【図２８】
2016144010.tif 000030
【図２９】
2016144010.tif 000031
【図３０】
2016144010.tif 000032
【図３１】
2016144010.tif 000033
【図３２】
2016144010.tif 000034
【図３３】
2016144010.tif 000035
【図３４】
2016144010.tif 000036
【図３５】
2016144010.tif 000037
【図３６】
2016144010.tif 000038
【図３７】
2016144010.tif 000039
【図３８】
2016144010.tif 000040
【図３９】
2016144010.tif 000041
【図４０】
2016144010.tif 000042
【図４１】
2016144010.tif 000043
【図４２】
2016144010.tif 000044
【図４３】
2016144010.tif 000045
【図４４】
2016144010.tif 000046
【図４５】
2016144010.tif 000047
【図４６】
2016144010.tif 000048
【図４７】
2016144010.tif 000049
【図４８】
2016144010.tif 000050